(57)【要約】  本発明の番組表印刷装置は番組情報を受信し、受信した番組情報から番組表の印刷用データを生成し、番組表の印刷において、各番組の番組名等を表示する番組枠に生じた空白領域に、他の番組の番組情報あるいは付加情報である、例えば、広告情報、番組トピックス、天気予報等や、テキストだけでなく画像を印刷させることで、限られた面積を有効活用した番組表の印刷を行うことが出来る。
2009008171.tif 000002
【特許請求の範囲】
【請求項１】
放送波を受信し選局するチューナーと、
前記チューナーにおいて選局した放送波をデコードし番組情報を抽出するＴＳデコーダと、
前記ＴＳデコーダにおいて抽出された番組情報を記憶する記憶部と、
前記記憶部に記憶された番組情報から放送時刻を表示する放送時刻表示枠と、各チャンネルを表示するチャンネル表示枠と、各番組の番組情報を表示する番組枠とによって構成される番組表印刷用データを生成して出力する印刷制御部と、を有し、
前記印刷制御部は、前記番組表印刷用データにおいて前記番組情報を印刷する前記番組枠に空白領域がある場合、他の番組枠の番組情報を印刷することを特徴とする番組表印刷装置。
【請求項２】
前記印刷制御部は、
より番組情報が多い主番組枠の番組情報を、前記空白領域をもつ従番組枠の前記空白領域に印刷する前記番組表印刷用データを生成することを特徴とする請求項１に記載の番組表印刷装置。
【請求項３】
前記番組表印刷用データに表示される番組の推薦度を算出する嗜好判断部をさらに備え、
前記記憶部は、視聴履歴から作成される嗜好情報を記憶し、
前記印刷制御部は、
前記空白領域をもつ従番組枠に、前記嗜好判断部で算出された、より推薦度の高い番組の番組情報を前記空白領域に印刷する番組表印刷用データを生成することを特徴とする請求項１に記載の番組表印刷装置。
【請求項４】
前記印刷制御部は、
前記空白領域に番組情報を印刷する場合、
吹出しを用いて印刷し、
前記吹出しの起点が、前記空白領域に印刷される番組情報の番組を示す番組枠上に位置する番組表印刷用データを生成することを特徴とする請求項１に記載の番組表印刷装置。
【請求項５】
前記記憶部は、画像データをさらに記憶しており、
前記印刷制御部は、
前記空白領域をもつ従番組枠に前記画像データを印刷することを特徴とする請求項１に記載の番組表印刷装置。
【請求項６】
前記印刷制御部は、
前記空白領域に番組情報を印刷する場合、
前記空白領域の背景色と、
前記空白領域に印刷される番組情報の番組を示す番組枠の背景色とを、
同一とした番組表印刷用データを生成することを特徴とする請求項１に記載の番組表印刷装置。
【請求項７】
前記印刷制御部は、
余白部に番組情報を記載した番組表印刷用データを生成することを特徴とする請求項１に記載の番組表印刷装置。
【請求項８】
放送波を受信し選局するチューナーと、
前記チューナーにおいて選局した放送波をデコードし番組情報を抽出するＴＳデコーダと、
前記ＴＳデコーダにおいて抽出された番組情報を記憶する記憶部と、
前記記憶部に記憶された番組情報から放送時刻を表示する放送時刻表示枠と、各チャンネルを表示するチャンネル表示枠と、各番組の番組情報を表示する番組枠とによって構成される番組表印刷用データを生成して出力する印刷制御部と、
前記記憶部に視聴履歴から作成される嗜好情報を記憶し、前記番組表印刷用データに表示される番組の推薦度を算出する嗜好判断部とを、備え、
前記印刷制御部は、前記嗜好判断部で算出された推薦度の閾値より低い番組の番組情報の従番組枠に、他の番組枠の番組情報を印刷する番組表印刷用データを生成することを特徴とする番組表印刷装置。
【請求項９】
前記印刷制御部は、
前記嗜好判断部で算出した番組の推薦度が閾値より低い場合、より推薦度の高い番組情報を、前記推薦度が閾値より低い番組の従番組枠に印刷する番組表印刷用データを生成することを特徴とする請求項８に記載の番組表印刷装置。
【請求項１０】
前記印刷制御部は、
前記従番組枠に番組情報を印刷する場合、吹出しを用いて印刷し、
前記吹出しの起点が、前記空白領域に印刷される番組情報の番組を示す番組枠上に位置する番組表印刷用データを生成することを特徴とする請求項８に記載の番組表印刷装置。
【請求項１１】
前記記憶部は、画像データをさらに記憶しており、
前記印刷制御部は、
前記従番組枠に前記画像データを印刷することを特徴とする請求項８に記載の番組表印刷装置。
【請求項１２】
前記印刷制御部は、
前記従番組枠に番組情報を印刷する場合、
前記従番組枠の背景色と、
前記従番組枠に印刷される番組情報の番組を示す番組枠の背景色とを、
同一とした番組表印刷用データを生成することを特徴とする請求項８に記載の番組表印刷装置。
【請求項１３】
請求項1に記載の番組表印刷装置を用いた番組表印刷方法であって、
前記印刷制御部は、
印刷要求に基づいて印刷領域を決定し、
前記記憶部から印刷対象となる番組の番組基本情報を取得し、
前記各番組の番組情報を表示する表示枠の領域を含む番組表のレイアウトを決定し、
前記空白領域を有する従番組枠の空白領域のサイズを算出し、
前記従番組枠に隣接する、より番組情報の量の大きい主番組枠を検索し、
前記従番組枠の前記空白領域に前記主番組枠の前記番組情報を印刷することを特徴とする番組表印刷方法。
【請求項１４】
請求項８に記載の番組表印刷装置を用いた番組表印刷方法であって、
前記印刷制御部は、印刷要求に基づいて印刷領域を決定し、
前記記憶部から印刷対象となる番組の番組基本情報を取得し、
前記各番組の番組情報を表示する表示枠の領域を含む番組表のレイアウトを決定し、
全ての番組枠に対して嗜好判断部は、推薦度を算出し、
推薦度が閾値以下の従番組枠に対して、より番組情報の量の大きい主番組枠を検索し、
前記主番組枠の前記番組情報を前記従番組枠に印刷することを特徴とする番組表印刷方法。
【発明の詳細な説明】
【技術分野】
【０００１】
本発明は、番組情報受信機能を有する番組表印刷装置及び番組表印刷装置を用いた番組表印刷方法に関するものである。
【背景技術】
【０００２】
テレビジョン放送においてはアナログ・デジタルを問わず映像・音声信号等に加え、番組情報が重畳されることが一般化している。そして、この情報を受信・解析し、電子番組表あるいはその他の形態にて表示部上に表示出来る受信装置が普及している。【０００３】
例えば、電子番組表の番組情報は、番組名、出演者、ジャンル等からなる番組基本情報と、あらすじ、関連ＵＲＬ等からなる番組詳細情報とが含まれている。また、電子番組表は、表示部上では番組毎に番組枠を形成し、枠内に番組基本情報を表示している。そして、電子番組表を利用することにより、テレビジョン受像機がユーザー操作を受けると選択された番組の番組情報を表示するといった機能が一般的に実現されている。したがって、ユーザーはより多くの情報を参照することが可能である。【０００４】
このような電子番組表における番組情報を、表示部上だけではなく印刷装置を用いて紙面等に印刷する技術が開示されている（例えば、特許文献１または２に記載）。すなわち、表示部よりも高解像度で表現できる印刷装置の利点を活用し、表示部以上の情報を印刷する装置である。【０００５】
電子番組表を紙面等に印刷し、参照出来るようにすることはユーザーにとって携帯・参照の容易さが向上する。しかしながら、印刷物においては番組表印刷装置のようにリモコン等の操作装置により必要な情報を必要なときに表示する機能が実現出来ない。【０００６】
また、特許文献２は、印刷する際のフォントサイズの調整等によって電子番組表を紙面等に所定のページ数に収まるようにレイアウトする技術を提案している。したがって、この技術によれば静的により多くの情報を表示することができる。しかし、この発明は、ユーザーにとって有用性の高い情報も有用性の低い情報も画一的に扱われ、フォントサイズを小さくすることで視認性の悪化が考えられる。
【特許文献１】特開２００１−２２３９６８号公報
【特許文献２】特開２００４−２０８２９４号公報
【発明の開示】
【０００７】
番組表印刷装置は、放送波を受信し選局するチューナーと、チューナーにおいて選局した放送波をデコードし番組情報を抽出するＴＳデコーダと、ＴＳデコーダにおいて抽出された番組情報を記憶する記憶部とを備えている。また、記憶部に記憶された番組情報から放送時刻を表示する放送時刻表示枠と、各チャンネルを表示するチャンネル表示枠と、各番組の番組情報を表示する番組枠とによって構成される番組表印刷用データを生成して出力する印刷制御部とを有している。そして、印刷制御部は、番組表印刷用データにおいて番組情報を印刷する番組枠に空白領域がある場合、他の番組枠の番組情報を印刷する。
【０００８】
また、番組表印刷装置は、放送波を受信し選局するチューナーと、チューナーにおいて選局した放送波をデコードし番組情報を抽出するＴＳデコーダと、ＴＳデコーダにおいて抽出された番組情報を記憶する記憶部とを備えている。また、記憶部に記憶された番組情報から放送時刻を表示する放送時刻表示枠と、各チャンネルを表示するチャンネル表示枠と、各番組の番組情報を表示する番組枠とによって構成される番組表印刷用データを生成して出力する印刷制御部とを有している。さらに、記憶部に視聴履歴から作成される嗜好情報を記憶し、番組表印刷用データに表示される番組の推薦度を算出する嗜好判断部を備えている。そして、印刷制御部は、嗜好判断部で算出された推薦度の閾値より低い番組の番組情報の従番組枠に、他の番組枠の番組情報を印刷する番組表印刷用データを生成してもよい。
【０００９】
このような構成により、電子番組表の印刷において、空白の領域あるいはユーザーにとって有用性の低い番組情報を印刷する番組枠に対し、ユーザーにとって有用性の高い他の番組の番組情報を印刷することで、限られた紙面等の印刷対象により多くの有用な情報を印刷することが可能となる。
【００１０】
また、番組表印刷装置を用いた番組表印刷方法であって、印刷制御部は、印刷要求に基づいて印刷領域を決定し、記憶部から印刷対象となる番組の番組基本情報を取得し、各番組の情報を表示する表示枠の領域を含む番組表のレイアウトを決定し、空白領域を有する従番組枠の空白領域のサイズを算出し、従番組枠に隣接する、より番組情報の量の大きい主番組枠を検索し、従番組枠の空白領域に主番組枠の番組情報を印刷してもよい。
【００１１】
このような方法により、電子番組表の印刷において、ユーザーにとって有用性の低い番組情報を印刷する番組枠あるいは空白の領域に対し、ユーザーにとって有用性の高い他の番組の番組情報を印刷することで、限られた紙面等の印刷対象により多くの有用な情報を印刷することが可能となる。
【００１２】
さらにまた、番組表印刷装置を用いた番組表印刷方法であって、印刷制御部は、印刷要求に基づいて印刷領域を決定し、記憶部から印刷対象となる番組の番組基本情報を取得し、各番組の情報を表示する表示枠の領域を含む番組表のレイアウトを決定し、従番組枠のサイズを算出する。そして、推薦度が閾値以下の従番組枠に対して、より番組情報の量の大きい主番組枠を検索し、従番組枠に主番組枠の番組情報を印刷してもよい。
【図面の簡単な説明】
【００１３】
【図１】図１は本発明の実施の形態１における番組表印刷装置の構成を示すブロック図である。
【図２】図２は本発明の実施の形態１における番組表印刷装置の番組表印刷処理手順を示すフローチャートである。
【図３】図３は番組表印刷データを作成する上で用いるデータ構造例を示す図である。
【図４Ａ】図４Ａは隣接した番組枠の結合をする前の番組表印刷イメージの概念図である。
【図４Ｂ】図４Ｂは隣接した番組枠の結合を、境界線を印刷しないことで表現した番組表印刷イメージの概念図である。
【図４Ｃ】図４Ｃは隣接した番組枠の結合を、吹出しにより表現した番組表印刷イメージの概念図である。
【図５】図５は本発明の実施の形態２における番組表印刷装置の構成を示すブロック図である。
【図６】図６は本発明の実施の形態２における番組表印刷処理手順を示すフローチャートである。
【図７】図７は本発明の実施の形態３における番組表印刷処理手順を示すフローチャートである。
【図８Ａ】図８Ａは本発明の実施の形態５における番組枠間の関連付けを行う前の番組表印刷イメージの概念図である。
【図８Ｂ】図８Ｂは本発明の実施の形態５における番組枠に同じ背景色を付与した番組表印刷イメージの概念図である。
【図９】図９は本発明の実施の形態６における番組表印刷処理手順を示すフローチャートである。
【図１０Ａ】図１０Ａは関連付けすべき番組枠が離れている場合の番組表印刷イメージの概念図である。
【図１０Ｂ】図１０Ｂは離れている番組枠を吹出しにより関連付けした番組表印刷イメージの概念図である。
【図１０Ｃ】図１０Ｃは離れている番組枠に同じ背景色を付与して関連付けした番組表印刷イメージの概念図である。
【図１１Ａ】図１１Ａは印刷対象の空白領域あるいは裏面に番組情報を付加した番組表印刷イメージの概念図である。
【図１１Ｂ】図１１Ｂは印刷対象の空白領域あるいは裏面に番組情報を付加した番組表印刷イメージの概念図である。
【図１２】図１２は本発明の実施の形態９における番組表印刷処理手順を示すフローチャートである。
【図１３Ａ】図１３Ａは関連付けすべき番組枠が離れている場合の番組表印刷イメージの概念図である。
【図１３Ｂ】図１３Ｂは離れている番組枠を吹出しにより関連付けした番組表印刷イメージの概念図である。
【図１３Ｃ】図１３Ｃは離れている番組枠に同じ背景色を付与して関連付けした番組表印刷イメージの概念図である。
【符号の説明】
【００１４】
１０１    チューナー
１０２    ＴＳデコーダ
１０３    ＡＶデコーダ
１０４    リモコン受信部
１０５    システム制御部
１０６    記憶部
１０７    番組表表示部
１０８    表示制御部
１０９    表示部
１１０    印刷制御部
１１１    印刷装置
４０１    従番組枠
４０２    主番組枠
４０３    空白領域
４０４    番組枠
４０５    番組枠
４０７    番組枠
４０８    吹出し
４５０    放送時刻表示枠
４５２    チャンネル表示枠
４５４    番組枠
４６０    番組表印刷イメージ
４６２    番組表印刷イメージ
４６４    番組表印刷イメージ
５０１    嗜好判断部
７０１    番組枠
７０２    番組枠
７０３    空白領域
７０５    番組枠
７０６    空白領域
７６０    番組表印刷イメージ
７６２    番組表印刷イメージ
９０１    番組枠
９０２    番組枠
９０３    空白領域
９０４    番組枠
９０６    吹出し
９０７    番組枠
９０９    空白領域
９６０    番組表印刷イメージ
９６２    番組表印刷イメージ
９６４    番組表印刷イメージ
１００１    印刷対象
１００２    番組枠
１００３    番組枠
１００４    番組枠
１０６０    番組表印刷イメージ
１０６２    番組表印刷イメージ
１２６０    番組表印刷イメージ
１２６２    番組表印刷イメージ
１２６４    番組表印刷イメージ
【発明を実施するための最良の形態】
【００１５】
以下、本発明の実施の形態について、図面を用いて説明する。【００１６】
（実施の形態１）
以下図面を参照して、本発明の実施の形態１について説明する。図１は実施の形態１における番組表印刷装置の構成例を示すブロック図である。なお、本実施の形態では、番組情報は放送波から取得する装置として説明を行う。しかし、番組情報は有線放送あるいはインターネットから取得してもよい。【００１７】
チューナー１０１は、システム制御部１０５からの制御により、放送波を受信する。そして、チューナー１０１は、放送波を選局して復調し、復調したトランスポートストリームをＴＳデコーダ１０２に送る。【００１８】
ＴＳデコーダ１０２は、システム制御部１０５からの制御により、チューナー１０１から出力されたトランスポートストリームをデコードする。そして、ＴＳデコーダ１０２は、トランスポートストリームをデコードして得られた映像または音声パケットを、ＡＶデコーダ１０３に送る。また、ＴＳデコーダ１０２はトランスポートストリーム中の必要なデータをシステム制御部１０５へ渡す。すなわち、ＴＳデコーダ１０２は、チューナー１０１において選局した放送波をデコードし番組情報を抽出する。【００１９】
ＡＶデコーダ１０３は、ＴＳデコーダ１０２から出力された映像および音声パケットを映像音声信号に復号する。そして、ＡＶデコーダ１０３は、復号された映像音声信号を表示制御部１０８へ送る。【００２０】
表示制御部１０８は、ＡＶデコーダ１０３からの映像音声信号と番組表表示部１０７からの映像信号とを合成して、表示部１０９に出力する。なお、音声を出力するスピーカーも表示部１０９に含むものとする。【００２１】
リモコン受信部１０４は、リモコンによるユーザー操作を受信する。そして、リモコン受信部１０４は、その受信内容をシステム制御部１０５へ送る。リモコンによるユーザー操作においては、一般的な選局操作等に加え、印刷する番組表において表示するチャンネル、時間帯の指定や印刷開始などの操作が可能である。【００２２】
記憶部１０６は、システム制御部１０５を介して受信されたトランスポートストリーム中の番組情報を記憶する。すなわち、記憶部１０６は、ＴＳデコーダ１０２において抽出された番組情報を記憶する。番組情報は、番組名、出演者、ジャンル、チャンネル、放送時間等からなる番組基本情報と、あらすじ、関連ＵＲＬ，関連画像等からなる番組詳細情報からなる。番組情報は１日分でも複数日分であってもよい。【００２３】
番組表表示部１０７は、システム制御部１０５からの制御により、記憶部１０６に格納された番組情報の全て、もしくは一部から、表示用の映像信号を生成する。そして、番組表表示部１０７は、この表示用の映像信号を表示制御部１０８に送る。【００２４】
印刷制御部１１０は、システム制御部１０５からの制御により、記憶部１０６から番組情報を読み出して番組表印刷用データを生成する。すなわち、印刷制御部１１０は、記憶部１０６に記憶された番組情報から放送時刻を表示する放送時刻表示枠と、各チャンネルを表示するチャンネル表示枠と、各番組の番組情報を表示する番組枠とによって構成される番組表印刷用データを生成して出力する。そして、印刷制御部１１０は、この番組表印刷用データを印刷装置１１１に送る。印刷制御部１１０が、この番組表印刷用データを生成する詳細な説明は、後述する。【００２５】
実施の形態１における番組表印刷装置は、番組表印刷データにおいて番組情報を表示する従番組枠に空白領域がある場合、その空白領域に他の番組の番組情報を印刷することを特徴とする。なお、従番組枠とは、他の番組枠の番組情報を印刷する番組枠である。また、従番組枠に番組情報を印刷する他の番組枠を主番組枠と呼ぶこととする。【００２６】
番組表印刷装置の制御フローを、図２を用いて説明する。図２は本発明の実施の形態１における番組表印刷装置の番組表印刷処理手順を示すフローチャートである。図２を用いて、番組表印刷装置の番組表印刷処理手順について、詳細に説明する。【００２７】
まず、ユーザーがリモコン操作により番組表の印刷を要求すると、システム制御部１０５が、その要求を解釈する。そして、システム制御部１０５は、印刷制御部１１０に印刷要求を発行する。このとき、印刷要求に基づいて、印刷制御部１１０は、印刷対象となるチャンネルや時間帯に関する情報を、記憶部１０６から受け取って印刷領域を決定する（Ｓ２０１）。【００２８】
次に、印刷対象となる時間及びチャンネルを基づいて、印刷制御部１１０は、記憶部１０６から印刷対象となる番組の番組基本情報を取得する（Ｓ２０２）。そして、印刷制御部１１０は、各番組の情報を表示する表示枠の領域を含む番組表のレイアウトを決定する（Ｓ２０３）。このレイアウトの情報は、例えば記憶部１０６上に、図３のようなリスト構造で一時的に管理する。このリストにおいてはチャンネルごとに番組を管理し、番組毎に番組情報とその情報を表示する領域を座標で所持している。【００２９】
具体的には、図３に示すように、この例では、チャンネル管理構造体には、チャンネルの番号などを記憶させている。そして、あるチャンネルのチャンネル管理構造体には、番組情報およびその番組情報を表示する領域を座標で所持している番組情報表示領域座標などを格納する番組管理構造体を次々と従属させている。また、それら番組管理構造体は、番組枠において空白領域が存在する場合、空白構造体を従属させている。空白構造体は、空白領域の座標及び空白領域のサイズなどを格納している。【００３０】
各番組の表示領域は、番組基本情報における放送時間と印刷する番組表の時間帯に基づいて決定している。そのため、番組基本情報のサイズにより空白が生じる可能性がある。そこで、印刷制御部１１０は、空白が生じるかどうかを判別する。すなわち、印刷制御部１１０は、まず、番組枠のサイズと表示用フォントサイズにより表示可能文字数を判別する。そして、その結果に基づいて、印刷制御部１１０は、該当番組枠の番組基本情報の実際の文字数と比較する。そして、印刷制御部１１０は、表示可能文字数が実際の文字数より多い場合、該当番組枠において空白が存在すると判断する。そして、印刷制御部１１０は、空白領域を有する従番組枠の空白領域のサイズを算出する（Ｓ２０４）。【００３１】
この空白領域のサイズは、例えば、図３に示したリストの各番組管理構造体に関連付けた空白管理構造体にて管理する。この空白領域の算出は、印刷対象となる全ての番組枠に対して実施する。この空白領域を有する番組枠を従番組枠と呼ぶこととする。続いて、印刷制御部１１０は、空白領域をどの番組情報の印刷に利用するかを判別する。すなわち、図３に示したリストを探索し、空白領域を持つ従番組枠をひとつ挙げる。ただし空白領域のサイズが小さい場合は効果が低いため、利用可能な領域を判断する閾値を設け、その閾値以上の空白領域を持つ番組枠のみを抽出しても構わない。【００３２】
引き続き、印刷制御部１１０は、その従番組枠に隣接する番組枠を探索する。隣接とは空白領域を持つ番組枠のチャンネルに隣り合うチャンネルにて放送され、なおかつ放送時間帯の一部あるいは全てが重複している状態を表す。このような番組枠の中でより有用な番組を決めるための情報として本実施の形態においては番組情報の量を基準として用いる。具体的には、空白領域を有する従番組枠に隣接する、より番組情報の量の大きい番組枠を主番組枠検索する（Ｓ２０５）。ここでは、実際の文字数が表示可能文字数より多い番組枠のうち、最も実際の文字数が多い番組枠を主番組枠とする。【００３３】
主番組枠が特定された後、従番組枠の空白領域に主番組枠の番組情報を印刷する（Ｓ２０６）。そのため、空白管理構造体は主番組枠の管理下におかれる。【００３４】
なお、印刷制御部１１０は、印刷する際に従番組枠の空白領域と主番組枠の結合状態を示すために、例えば、本実施の形態においては両者の境界線を印刷しないようにする。【００３５】
次に、印刷制御部１１０は、全ての空白領域を持つ番組枠について上記処理を行ったか判定する（Ｓ２０７）。そして、ＹＥＳの場合、印刷装置用のデータを作成する（Ｓ２０８）。次に、印刷制御部１１０は、印刷装置用のデータを印刷装置に送信し、番組表の印刷を行う。また、ＮＯの場合、ステップＳ２０５に戻って、従番組枠に隣接する、より番組情報の量の大きい番組枠を探索する。【００３６】
次に、図４Ａ、４Ｂ、４Ｃにそれぞれ示す番組表印刷イメージ４６０、４６２、４６４の概念図を用いて、上記フローを説明する。図４Ａは隣接した番組枠の結合をする前の番組表印刷イメージ４６０の概念図である。図４Ｂは隣接した番組枠の結合を、境界線を印刷しないことで表現した番組表印刷イメージ４６２の概念図である。図４Ｃは隣接した番組枠の結合を、吹出し４０８により表現した番組表印刷イメージ４６４の概念図である。【００３７】
図４Ａに示すように、左端の枠が各番組の放送時刻を表示する放送時刻表示枠４５０である。また、上段の枠、例えば、「４ｃｈ  ＡＡＡ」が、各チャンネルを表示するチャンネル表示枠４５２である。そして、図４Ａには、各番組の番組情報を表示する番組枠４５４を例として示している。また、番組表印刷用データを具体的な印刷事例で表現した番組表印刷イメージ４６０で示している。なお、印刷制御部１１０が、印刷装置１１１に送る番組表印刷用データはデジタル信号によるデータであっても、アナログ信号であってもよい。すなわち、番組表印刷イメージ４６０の概念図のように印刷装置１１１が印刷できるように印刷制御部１１０と印刷装置１１１との間にて、データのやり取りの方式を予め決めておけばよい。【００３８】
図２に示したステップＳ２０５の制御において、図４Ａの空白領域４０３を持つ従番組枠４０１が探索されたとする。次に、図２に示したステップＳ２０６の制御においては、図４Ａの従番組枠４０１に隣接し、より番組情報の量の大きい番組枠を探索する。この結果、図４Ａの主番組枠４０２が探索され、空白領域４０３は主番組枠４０２の番組情報を印刷する領域となる。【００３９】
印刷結果として、図４Ａの従番組枠４０１は、図４Ｂに示すように番組枠４０４のように空白領域４０３を除いた形で印刷される。また、図４Ａの主番組枠４０２は空白領域４０３と結合される。そして、図４Ａの主番組枠４０２は、図４Ｂに示すように番組枠４０５のように拡大して印刷される。その結果、空白領域４０３には主番組枠４０２の番組情報が印刷される。そして、結合した番組枠は４０５のように番組枠と番組枠の間のチャンネルの境界を示す線を表示せずに印刷することで表現する。【００４０】
上記したように、印刷制御部１１０は、空白領域をもつ従番組枠４０１に隣接する番組枠であって、より番組情報が多い主番組枠４０２の番組情報を、空白領域をもつ従番組枠４０１の空白領域４０３に印刷する番組表印刷用データを生成する。したがって、電子番組表の印刷において、ユーザーにとって有用性の低い空白の領域に対し、ユーザーにとって有用性の高い他の番組の番組情報を印刷することで、限られた紙面等の印刷対象により多くの有用な情報を印刷することが可能となる。【００４１】
なお、図４Ｃは隣接した番組枠の結合を、吹出し４０８により表現した番組表印刷イメージ４６４の概念図である。このように隣接した番組枠の結合を、吹出し４０８により表現した場合については、後述する。【００４２】
また、印刷制御部は、必ずしも全ての番組枠を探索しなくともよい。例えば、印刷する番組表印刷用データに含まれる番組枠にのみ限定してもよい。また、表示する番組枠にのみ限定してもよい。このようにすることで、検索処理に掛かる時間を短縮できる。【００４３】
（実施の形態２）
図面を参照して、本発明の実施の形態２における番組表印刷装置について説明する。図５は実施の形態２における番組表印刷装置の構成を示すブロック図である。図５に示すように本実施の形態における番組表印刷装置が、図１にて示した実施形態１における番組表印刷装置と異なる点は、嗜好判断部５０１をさらに有することである。他の構成と動作は同一であるため、同一の符号を付加して、詳細な説明は省略する。【００４４】
図５に示すように、本実施の形態における番組表印刷装置は、番組表印刷用データに表示される番組の推薦度を算出する嗜好判断部５０１をさらに備えている。また、記憶部１０６は、視聴履歴から作成される嗜好情報を記憶する。嗜好判断部５０１は、システム制御部１０５からの制御によりユーザーが視聴した番組の番組情報を記憶部１０６から取得する。そして、嗜好判断部５０１は、嗜好分析のためのデータ（以下、嗜好情報とする）を記憶部１０６に蓄積する。また、嗜好判断部５０１は、蓄積された嗜好情報と番組情報からユーザーの嗜好に適した番組を分析する。【００４５】
そして、その分析結果に基づいて、嗜好判断部５０１は、各番組の推薦度を算出することが可能である。すなわち、番組の推薦度を算出するためには、例えば、番組を視聴した回数、時間、あるいはチャンネルの切換え操作の回数、録画の回数などに対して、適宜重み付けをして加算する方法を用いてもよい。あるいは、当該番組と同一のジャンルの番組について、同様に、それらの項目に対して、適宜重み付けをして加算する方法を用いてもよい。そして、嗜好判断部５０１は、各番組の推薦度を記憶部１０６、番組表表示部１０７、及び印刷制御部１１０に出力する。【００４６】
また、番組の推薦度は、例えば、最大値を１００となるように正規化し、その半分である５０を閾値としてもよい。閾値を設けることにより、番組の推薦度が大きくて閾値以上の場合、番組の推薦度が高いとしてもよい。また、あるいは番組の推薦度が閾値より小さい場合、番組の推薦度が低いとしてもよい。【００４７】
空白領域を持つ従番組枠に他の番組の番組情報を印刷させるにあたり、実施の形態１においては番組情報の情報量のより多いものを主番組枠としていた。しかし、実施の形態２においては番組情報の情報量に代えて、番組推薦度のより高い番組枠を主番組枠とする。すなわち、図２に示される実施の形態１のフローのステップＳ２０５において番組情報の情報量の代わりに、番組の推薦度を優先して用いる。【００４８】
図６は本発明の実施の形態２における番組表印刷処理手順を示すフローチャートである。すなわち、図６におけるフローチャートにおいて、ステップＳ６０１からステップＳ６０３までは、実施の形態１にて説明した図２のステップＳ２０１からステップＳ２０３と同一制御であるため詳細な説明を省略する。【００４９】
既に述したように、印刷制御部１１０は、各番組の情報を表示する表示枠の領域を含む番組表のレイアウトを決定する（Ｓ６０３）。そして、全ての番組枠に対して嗜好判断部５０１は、記憶部１０６に格納された嗜好情報と番組情報を元に推薦度を算出し（Ｓ６０４）、付与する。次に、印刷制御部１１０は、空白領域を持つ従番組枠に隣接する番組枠であって、嗜好判断部で算出された推薦度のより高い番組の番組枠を探索し、主番組枠として特定する（Ｓ６０５）。【００５０】
主番組枠が特定された後、従番組枠の空白領域に主番組枠の番組情報を印刷する（Ｓ６０６）。ここでは、最も推薦度の高い番組を主番組枠として特定する。そのため、空白管理構造体は主番組枠の管理下におかれる。なお、印刷する際に従番組枠の空白領域と主番組枠の結合状態を示すために、例えば、本実施の形態においては両者の境界線を印刷しないようにしてもよい。また、従番組枠の空白領域と主番組枠の結合状態を示すために、吹出しにより表現してもよい。【００５１】
次に、全ての空白領域を持つ番組枠について上記処理を行ったか判定する（Ｓ６０７）。ＹＥＳの場合、印刷装置用のデータを作成する（Ｓ２０８）。そして、印刷制御部１１０は、印刷装置用のデータを印刷装置１１１に送信し、番組表の印刷を行う。また、ＮＯの場合、ステップＳ６０５に戻って、従番組枠に隣接する番組枠を探索する。【００５２】
上記したように、印刷制御部１１０は、空白領域をもつ従番組枠に隣接する番組枠であって、嗜好判断部５０１で算出された推薦度のより高い番組の番組情報を空白領域に印刷する番組表印刷用データを生成する。【００５３】
なお、本実施の形態では、空白領域をもつ従番組枠に隣接する番組枠であって、嗜好判断部５０１で算出された推薦度のより高い番組の番組情報を空白領域に印刷する番組表印刷用データを生成した。しかし、印刷制御部１１０は、嗜好判断部５０１で算出された推薦度のより高い番組の番組枠を、必ずしも空白領域を持つ従番組枠に隣接する番組枠に限定して、探索しなくともよい。【００５４】
すなわち、番組表印刷装置は、放送波を受信し選局するチューナー１０１と、チューナー１０１において選局した放送波をデコードし番組情報を抽出するＴＳデコーダ１０２と、ＴＳデコーダ１０２において抽出された番組情報を記憶する記憶部１０６と、を備えている。そして、記憶部１０６に記憶された番組情報から放送時刻を表示する放送時刻表示枠と、各チャンネルを表示するチャンネル表示枠と、各番組の番組情報を表示する番組枠とによって構成される番組表印刷用データを生成して出力する印刷制御部１１０と、を有している。さらに、記憶部１０６に視聴履歴から作成される嗜好情報を記憶し、番組表印刷用データに表示される番組の推薦度を算出する嗜好判断部５０１と、を備えている。そして、印刷制御部１１０は、嗜好判断部５０１で算出された推薦度の閾値より低い番組の番組情報の従番組枠に、他の番組枠の番組情報を印刷する番組表印刷用データを生成してもよい。【００５５】
これにより、空白領域あるいは、ユーザーにとって有用性の低い番組情報を印刷する番組枠、すなわち推薦度の閾値より低い番組の番組情報の従番組枠には、ユーザーの嗜好に適した番組の番組情報を優先して表示することができる。したがって、ユーザーにとって有用性の高い他の番組の番組情報を表示することで、限られた紙面等の印刷対象により多くの有用な情報を印刷することが可能となる。【００５６】
なお、嗜好判断部は、必ずしも全ての番組枠を探索しなくともよい。例えば、印刷する番組表印刷用データに含まれる番組枠にのみ限定してもよい。また、表示する番組枠にのみ限定してもよい。このようにすることで、検索処理に掛かる時間を短縮できる。【００５７】
（実施の形態３）
図面を参照して本発明の実施の形態３について説明する。本発明の実施の形態３における番組表印刷装置の構成は、実施の形態２と同じであり、図５の構成図を用いて説明する。実施の形態３においては、実施の形態２と同様に嗜好判断部５０１において、ユーザーに対する各番組の推薦度を算出する。そして、この番組の推薦度を用いて、空白領域を持ち推薦度の低い番組枠に推薦度の高い番組枠の番組情報を印刷する。本実施の形態における番組表印刷装置の制御フローを、図７のフローチャートと図５の構成図を用いて説明する。【００５８】
図７は本発明の実施の形態３における番組表印刷処理手順を示すフローチャートである。図７におけるフローチャートにおいて、ステップＳ６０１からステップＳ６０４までは実施の形態２にて説明した図６のステップＳ６０１からステップＳ６０４と同一制御であるため説明を省略する。【００５９】
既に述べたように、全ての番組枠に対して嗜好判断部５０１は記憶部１０６に格納された嗜好情報と番組情報を元に推薦度を算出し（Ｓ６０４）、付与する。【００６０】
続いて、ユーザーに対する推薦度が低いと判断する推薦度の閾値（ここでは例えば、５０）と各番組枠の推薦度を比較し、閾値と比較して推薦度の低い番組枠を従番組枠と決定する。【００６１】
そして、従番組枠と決定された番組枠に隣接する番組枠の推薦度を検索し、より推薦度が高い番組枠を探索する（Ｓ６５０）。なお、ユーザーに対しての推薦度が低いと判断する閾値は固定値（ここでは例えば、５０）でも、ユーザー操作により決定される値でも構わない。探索した番組枠のうち、より推薦度が高い番組枠を主番組枠とする。そして、従番組枠には主番組枠の番組情報を印刷する（Ｓ６５２）。【００６２】
次に、番組表印刷装置は番組枠のうち、閾値より推薦度が低い番組枠について、すべて従番組枠と決定し、主番組枠として番組情報を処理したかを判断する（Ｓ６５４）。閾値より推薦度が低い番組枠について、従番組枠と決定していない番組枠があれば（ＮＯ）、再びその番組枠を従番組枠として、隣接する番組枠を検索する（Ｓ６５０）。一方、閾値より推薦度が低い番組枠について、従番組枠と決定していない番組枠が無い場合（ＹＥＳ）は、次のフローに進む。【００６３】
上記フローの後、閾値より推薦度が低い番組枠について、従番組枠と決定していない番組枠がなくなった際には、印刷装置用のデータを作成し（Ｓ６０８）、印刷装置にデータを送信して印刷を行う。【００６４】
上記したように、印刷制御部１１０は、嗜好判断部５０１で算出した番組の推薦度が閾値より低い場合、隣接する番組枠の番組であって、より推薦度の高い番組情報を、推薦度が閾値より低い番組の従番組枠に印刷する番組表印刷用データを生成する。【００６５】
なお、本実施の形態では、印刷制御部１１０は、嗜好判断部５０１で算出した番組の推薦度が閾値より低い場合、より推薦度の高い番組情報を、隣接する番組枠の番組から探索した。しかし、必ずしもより推薦度の高い番組情報を、隣接する番組枠の番組に限定して探索しなくともよい。【００６６】
すなわち、番組表印刷装置は、印刷制御部１１０は、嗜好判断部５０１で算出した番組の推薦度が閾値より低い場合、より推薦度の高い番組情報を、推薦度が閾値より低い番組の従番組枠に印刷する番組表印刷用データを生成してもよい。【００６７】
これにより、ユーザーの嗜好と異なる番組の番組表上に、ユーザーの嗜好に適した番組の番組情報を優先して印刷することができる。したがって、ユーザーにとって有用性の高い他の番組の番組情報を印刷することで、限られた紙面等の印刷対象により多くの有用な情報を印刷することが可能となる。【００６８】
なお、嗜好判断部は、必ずしも全ての番組枠を探索しなくともよい。例えば、印刷する番組表印刷用データに含まれる番組枠にのみ限定してもよい。また、表示する番組枠にのみ限定してもよい。このようにすることで、検索処理に掛かる時間を短縮できる。【００６９】
（実施の形態４）
図面を参照して本発明の第４の実施の形態について説明する。本発明の実施の形態４における番組表印刷装置の構成は実施の形態２と同様であり、図５に示したとおりであるため説明を省略する。実施の形態１から実施の形態３においては主番組枠と空白領域もしくは従番組枠の結合を、境界線を印刷しないことで表現していたが、本実施の形態では吹出しにより表現する。この表現により、ユーザーは、番組枠の主従関係が直感的に把握できるようになる。【００７０】
この表現を図４Ａ、４Ｃの概念図を用いて説明する。図４Ｃは隣接した番組枠の結合を、吹出し４０８により表現した番組表印刷イメージ４６４の概念図である。図４Ａに示した番組表印刷イメージ４６０において、従番組枠４０１は主番組枠４０２に対して従の関係にある。したがって、空白領域４０３を主番組枠４０２の番組情報の印刷に用いる。このようにして、印刷制御部１１０は、空白領域に番組情報を印刷する場合には、吹出し４０８により表現する。【００７１】
実施の形態４においては、図４Ａの番組表印刷イメージ４６０に示す主番組枠４０２は、図４Ｃの番組表印刷イメージ４６４に示す番組枠４０７のように吹出し４０８の起点となる。番組表印刷イメージ４６０に示す空白領域４０３は、番組表印刷イメージ４６４に示す吹出し４０８のように番組枠４０７を起点とした表示領域となる。【００７２】
上述したように、印刷制御部１１０は、空白領域に番組情報を印刷する場合、吹出し４０８により表示する。そして、印刷制御部１１０は、吹出し４０８の起点が、空白領域に印刷される番組情報の番組を示す番組枠上に位置する番組表印刷用データを生成する。したがって、ユーザーは番組枠４０７に関連した情報を表示していることを容易に判断できる。【００７３】
なお、本実施の形態では、隣接した番組枠の結合を、吹出し４０８により表現している。しかし、必ずしも結合する番組枠は隣接していなくともよい。すなわち、結合する番組枠は隣接していない場合でも、印刷制御部１１０は、従番組枠に番組情報を印刷する場合、吹出しを用いて印刷し、吹出しの起点が、空白領域に印刷される番組情報の番組を示す番組枠上に位置する番組表印刷用データを生成してもよい。【００７４】
なお、嗜好判断部は、必ずしも全ての番組枠を探索しなくともよい。例えば、印刷する番組表印刷用データに含まれる番組枠にのみ限定してもよい。また、表示する番組枠にのみ限定してもよい。このようにすることで、検索処理に掛かる時間を短縮できる。【００７５】
（実施の形態５）
図面を参照して本発明の実施の形態５について説明する。実施の形態４においては、番組枠間の主従関係を示すために、吹出しを用いて表現している。しかし、本実施の形態においては、番組枠間の関連性を直感的に示すために番組枠の背景色を同色にする点が、実施の形態４と異なる。実施の形態４と同一な構成とその動作については説明を省略する。【００７６】
図８Ａ、Ｂは番組枠に同じ背景色を付与した番組表印刷イメージ７６０，７６２を説明するための概念図である。図８Ａは番組枠間の関連付けを行う前の番組表印刷イメージ７６０の概念図である。まず、図８Ａを用いて具体的に説明する。【００７７】
図８Ａにおいて番組枠７０１は空白領域７０３を含む。また、番組枠７０１は番組枠７０２に対して従の関係にあり、番組枠７０２の番組情報を空白領域７０３に印刷する。【００７８】
図８Ｂは番組枠に同じ背景色を付与した番組表印刷イメージ７６２の概念図である。図８Ｂに示すように、印刷制御部１１０は、図８Ａの空白領域７０３と番組枠７０２の背景色を同色にするとともに、他の番組枠とは異なる色で塗りつぶす。これにより、空白領域７０３と番組枠７０２との関連性、及び、空白領域７０３と番組枠７０２と他の番組枠の非関連性を容易に示すことができる。番組枠７０５は番組枠７０２と同様の番組情報を印刷する。また、空白領域７０３には、空白領域７０６に番組枠７０５に印刷されている番組の番組情報が印刷される。【００７９】
上記したように、印刷制御部１１０は、空白領域に番組情報を印刷する場合、空白領域の背景色と、空白領域に印刷される番組情報の番組を示す番組枠の背景色とを、同一とした番組表印刷用データを生成する。【００８０】
なお、本実施の形態では、隣接した番組枠を例にして説明したが、必ずしも隣接した番組枠に限るものではない。すなわち、番組枠は隣接していない場合でも、印刷制御部１１０は、従番組枠に番組情報を印刷する場合、従番組枠の背景色と、従番組枠に印刷される番組情報の番組を示す番組枠の背景色とを、同一とした番組表印刷用データを生成してもよい。【００８１】
これにより、空白領域に他の番組枠の番組に対応する番組情報が印刷された場合に、空白領域に表示された番組情報と関連する番組とを容易に認識することができる。【００８２】
（実施の形態６）
図面を参照して本発明の実施の形態６について説明する。本発明の実施の形態６における番組表印刷装置は、空白領域をもつ従番組枠に画像データを印刷することを特徴とする。本実施の形態おける番組表印刷装置の構成は実施の形態２と同様であり、図５に示した通りであるため説明を省略する。図９は本発明の実施の形態６における番組表印刷処理手順を示すフローチャートである。本実施の形態の動作フローについて、図９のフローチャートを用いて説明する。【００８３】
ステップＳ８０１からステップＳ８０４の制御は実施の形態１のステップＳ２０１からステップＳ２０４までの制御と同様であるため説明を省略する。【００８４】
番組表印刷装置は、空白領域を持つ全ての従番組枠に対し、記憶部１０６に蓄積された空白領域に表示する画像データである付加情報から挿入可能なものを探索する（Ｓ８０５）。付加情報としては、例えば、広告用画像情報、番組トピックス、天気予報などが挙げられる。挿入可能な付加情報がある場合、空白領域をもつ従番組枠の空白領域に付加情報を挿入し、印刷する（Ｓ８０６）。全ての番組枠に対して処理が完了したかを判定する（Ｓ８０７）。その結果、完了していなければ（ＮＯ）、ステップＳ８０５に戻る。また、完了していれば（ＹＥＳ）、印刷装置用データを作成する（Ｓ８０８）。そして、印刷装置に送信する。【００８５】
上述したように、記憶部１０６は、画像データをさらに記憶しており、印刷制御部１１０は、空白領域をもつ従番組枠に画像データを印刷する。【００８６】
なお、本実施の形態では、隣接した番組枠を例にして説明したが、必ずしも隣接した番組枠に限るものではない。すなわち、番組枠は隣接していない場合でも、記憶部は、画像データをさらに記憶しており、印刷制御部は、従番組枠に画像データを印刷してもよい。【００８７】
これにより、空白領域にはその空白領域を持つ番組枠に関連する付加情報を印刷することができる。したがって、限られた紙面等の印刷対象により多くの有用な情報を印刷することが可能となる。【００８８】
（実施の形態７）
図面を参照して本発明の第７の実施の形態について説明する。実施の形態１から実施の形態３においては、主番組枠に対して従番組枠は、隣接する番組枠から選択していた。しかし、本実施の形態７においては、隣接しない主番組枠と従番組枠を決定する。これらの番組枠の結合状態は、実施の形態４の吹出しを用いた表現、あるいは実施の形態５における番組枠の背景色を同一にする表現によって実現する。本発明の実施の形態７における番組表印刷装置の構成は実施の形態１と同様であり、図５に示した通りであるため説明を省略する。【００８９】
図１０Ａは関連付けすべき番組枠９０１，９０２が離れている場合の番組表印刷イメージ９６０の概念図である。図１０Ａにおいて番組枠９０２は空白領域９０３を含み、番組枠９０２の番組情報を印刷する。図１０Ｂは離れている番組枠を吹出しにより関連付けした番組表印刷イメージ９６２の概念図である。【００９０】
図１０Ｂは吹出しを用いた表現であり、図１０Ａの番組枠９０１は、図１０Ｃの番組枠９０４のように吹出しの起点となる。そして、図１０Ａの空白領域９０３は、図１０Ｂに示すように番組情報を印刷する吹出し９０６として表示される。【００９１】
図１０Ｃは離れている番組枠に同じ背景色を付与して関連付けした番組表印刷イメージ９６４の概念図である。図１０Ｃは背景色による関連付けを行った表現であり、図１０Ａの番組枠９０１は、図１０Ｃの番組枠９０７のように背景色を特定の色で塗りつぶしている。また、図１０Ａの空白領域９０３も図１０Ｃの空白領域９０９のように番組枠９０７と同じ色で塗りつぶされた上で番組枠９０１の番組情報を印刷する。【００９２】
上述したように、印刷制御部１１０は、より番組情報が多い主番組枠の番組情報を、空白領域をもつ従番組枠の空白領域に印刷する番組表印刷用データを生成してもよい。【００９３】
また、記憶部１０６は、番組表印刷用データに表示される番組の推薦度を算出する嗜好判断部５０１をさらに備えている。記憶部１０６は、視聴履歴から作成される嗜好情報を記憶している。そして、印刷制御部１１０は、空白領域をもつ従番組枠に、嗜好判断部５０１で算出された、より推薦度の高い番組の番組情報を空白領域に印刷する番組表印刷用データを生成してもよい。【００９４】
さらにまた、印刷制御部１１０は、嗜好判断部５０１で算出した番組の推薦度が閾値より低い場合、より推薦度の高い番組情報を、推薦度が閾値より低い番組の従番組枠に印刷する番組表印刷用データを生成してもよい。【００９５】
このようにして、隣接しない番組枠の空白領域であっても、番組情報を印刷することができる。したがって、限られた紙面等の印刷対象により多くの有用な情報を印刷することが可能となる。【００９６】
（実施の形態８）
図面を参照して本発明の実施８の形態について説明する。本実施の形態においては、印刷対象の番組表以外の余白あるいは裏面に特定の番組情報あるいは付加情報を印刷することが実施の形態1と異なる。本発明の第８の実施の形態にかかる番組表印刷装置の構成は実施の形態１と同様であり、図５に示した通りであるため説明を省略する。【００９７】
ユーザーは番組表を印刷するに際して、印刷する番組表のチャンネル数、時間帯を指定することが可能である。しかし、印刷対象（プリンタ用紙など）に対して印刷する番組表の面積が小さい場合、余白が生じる。印刷制御部１１０は、通常、印刷対象の面積に関する情報を予め保持している。この場合、印刷する番組表の面積と比較した結果、余白が生じる場合は実施の形態１または２と同様に番組情報のサイズや番組推薦度を用いてユーザーにとって有用な情報を判断し、余白に印刷する。番組枠との関連付けは実施の形態４に示した吹出しを用いたり、実施の形態５に示した背景色による表現を用いたりして表現できる。すなわち、印刷制御部１１０は、余白部に番組情報を記載した番組表印刷用データを生成してもよい。【００９８】
印刷結果を図１１Ａの概念図を用いて説明する。図１１Ａは印刷対象の空白領域あるいは裏面に番組情報を付加した番組表印刷イメージ１０６０の概念図である。図１１Ａに示すように、印刷対象１００１にはユーザーにとって有用度が高い番組の番組枠１００２が印刷される。その際、番組枠１００２の番組情報を印刷するために設けた枠である番組枠１００３に、番組枠１００２の番組情報が印刷される。番組枠１００３は、元々は余白であった領域であるが、本実施の形態により新たに印刷される情報である。また、番組枠１００３は付加情報であっても構わない。【００９９】
さらに、番組枠１００３を印刷対象の裏面に設定することも可能である。図１１Ｂは印刷対象の空白領域あるいは裏面に番組情報を付加した番組表印刷イメージ１０６２の概念図である。図１１Ｂは印刷対象の裏面を表し、表面に図１１Ａが印刷されているとする。番組枠１００２の番組情報が番組枠１００４に記され、関連付けは実施の形態５に示した背景色による表現で示すことが可能である。【０１００】
これにより、番組表を印刷しない余白の部分または印刷対象の裏側の余白の部分に番組情報を印刷することができる。したがって、限られた紙面等の印刷対象により多くの有用な情報を印刷することが可能となる。【０１０１】
（実施の形態９）
図面を参照して、本発明の実施の形態９について説明する。本実施の形態における番組表印刷装置は、実施の形態２と同様に嗜好判断部５０１において、ユーザーに対する各番組の推薦度を算出する。そして、この番組の推薦度を用いて、空白領域を持たない推薦度の低い番組枠に推薦度のより高い番組枠の番組情報を印刷する。本発明の実施の形態９における番組表印刷装置の構成は、実施の形態２と同じであり、図５の構成図を用いて説明する。ただし、構成は同一であるため、詳細な説明は省略する。本実施の形態における番組表印刷装置の制御フローを、図１２のフローチャートと図１３Ａ、１３Ｂ、１３Ｃの番組表印刷イメージ１２５０，１２６２，１２６４の概念図を用いて説明する。【０１０２】
図１２は本発明の実施の形態９における番組表印刷処理手順を示すフローチャートである。すなわち、図１２におけるフローチャートにおいて、ステップＳ６０１からステップＳ６０４までは、実施の形態２にて説明した図６のステップＳ６０１からステップＳ６０４と同一制御であるため詳細な説明を省略する。【０１０３】
既に述したように、全ての番組枠に対して嗜好判断部５０１は、記憶部１０６に格納された嗜好情報と番組情報を元に推薦度を算出し（Ｓ６０４）、付与する。  【０１０４】
続いて、ユーザーに対する推薦度が低いと判断する推薦度の閾値（ここでは例えば、５０）と各番組枠の推薦度を比較し、閾値と比較して推薦度の低い番組枠を従番組枠と決定する。そして、他の番組枠の推薦度を検索し、より推薦度が高い主番組枠を探索する（Ｓ６７０）。そして、探索した番組枠のうち、より推薦度が高い主番組枠の番組情報を、従番組枠に印刷する（Ｓ６７２）。なお、ユーザーに対しての推薦度が低いと判断する閾値は固定値（ここでは例えば、５０）でも、ユーザー操作により決定される値でも構わない。【０１０５】
次に、全ての推薦度が閾値以下の番組枠について、上記処理を行ったか判定する（Ｓ６５４）。そして、上記処理を行った場合（ＹＥＳ）、印刷装置用のデータを作成する（Ｓ６０８）。そして、印刷装置に送信し、番組表の印刷を行う。また、上記処理を行っていない場合（ＮＯ）、ステップＳ６７０に戻って、推薦度が閾値以下の従番組枠に対して、より推薦度の高い主番組枠を探索する。この際、既に探索された主番組枠は除かれる。【０１０６】
なお、印刷する際に従番組枠と主番組枠との結合状態を示すために、例えば、図１３Ｂに示すように、吹出し１２０６により表現してもよい。また、図１３Ｃに示すように、印刷制御部１１０は、主番組枠１２０７と、番組枠１２０８の一部領域１２０９とに、主番組枠１２０７の番組情報を印刷した部分との背景色を同色にするとともに、他の番組枠とは異なる色で塗りつぶす。これにより、番組枠１２０７と一部領域１２０９との関連性、及び、一部領域１２０９と番組枠１２０８と他の番組枠の非関連性を容易に示すことができる。【０１０７】
なお、本実施の形態においては、図１３Ａに示すように、従番組枠と主番組枠とは隣接しない場合を想定して、説明した。しかし、従番組枠と主番組枠とが隣接している場合にも、本実施の形態は実施可能である。この場合には、既に述べたように、従番組枠と主番組枠との境界線を印刷しないようにして両者の関連性を表現してもよい。【０１０８】
また、嗜好判断部は、必ずしも全ての番組枠を探索しなくともよい。例えば、印刷する番組表印刷用データに含まれる番組枠にのみ限定してもよい。また、表示する番組枠にのみ限定してもよい。このようにすることで、検索処理に掛かる時間を短縮できる。
【産業上の利用可能性】
【０１０９】
本発明にかかる番組表印刷装置は、従来と同サイズの印刷対象に、ユーザーにとってより有用な情報を印刷することが可能となるものであり、特に番組情報受信機能を有する受信装置等において有用である。
【図１】
2009008171.tif 000003
【図２】
2009008171.tif 000004
【図３】
2009008171.tif 000005
【図４Ａ】
2009008171.tif 000006
【図４Ｂ】
2009008171.tif 000007
【図４Ｃ】
2009008171.tif 000008
【図５】
2009008171.tif 000009
【図６】
2009008171.tif 000010
【図７】
2009008171.tif 000011
【図８Ａ】
2009008171.tif 000012
【図８Ｂ】
2009008171.tif 000013
【図９】
2009008171.tif 000014
【図１０Ａ】
2009008171.tif 000015
【図１０Ｂ】
2009008171.tif 000016
【図１０Ｃ】
2009008171.tif 000017
【図１１Ａ】
2009008171.tif 000018
【図１１Ｂ】
2009008171.tif 000019
【図１２】
2009008171.tif 000020
【図１３Ａ】
2009008171.tif 000021
【図１３Ｂ】
2009008171.tif 000022
【図１３Ｃ】
2009008171.tif 000023
【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
放送波を受信し選局するチューナーと、
前記チューナーにおいて選局した放送波をデコードし番組情報を抽出するＴＳデコーダと、
前記ＴＳデコーダにおいて抽出された番組情報を記憶する記憶部と、
前記記憶部に記憶された番組情報から放送時刻を表示する放送時刻表示枠と、各チャンネルを表示するチャンネル表示枠と、各番組の番組情報を表示する番組枠とによって構成される番組表印刷用データを生成して出力する印刷制御部と、を有し、
前記印刷制御部は、前記番組表印刷用データにおいて前記番組情報を印刷する前記番組枠に空白領域がある場合、他の番組枠の番組情報を印刷することを特徴とする番組表印刷装置。
【請求項２】
前記印刷制御部は、
より番組情報が多い主番組枠の番組情報を、前記空白領域をもつ従番組枠の前記空白領域に印刷する前記番組表印刷用データを生成することを特徴とする請求項１に記載の番組表印刷装置。
【請求項３】
前記番組表印刷用データに表示される番組の推薦度を算出する嗜好判断部をさらに備え、
前記記憶部は、視聴履歴から作成される嗜好情報を記憶し、
前記印刷制御部は、
前記空白領域をもつ従番組枠に、前記嗜好判断部で算出された、より推薦度の高い番組の番組情報を前記空白領域に印刷する番組表印刷用データを生成することを特徴とする請求項１に記載の番組表印刷装置。
【請求項４】
前記印刷制御部は、
前記空白領域に番組情報を印刷する場合、
吹出しを用いて印刷し、
前記吹出しの起点が、前記空白領域に印刷される番組情報の番組を示す番組枠上に位置する番組表印刷用データを生成することを特徴とする請求項１に記載の番組表印刷装置。
【請求項５】
前記記憶部は、画像データをさらに記憶しており、
前記印刷制御部は、
前記空白領域をもつ従番組枠に前記画像データを印刷することを特徴とする請求項１に記載の番組表印刷装置。
【請求項６】
前記印刷制御部は、
前記空白領域に番組情報を印刷する場合、
前記空白領域の背景色と、
前記空白領域に印刷される番組情報の番組を示す番組枠の背景色とを、
同一とした番組表印刷用データを生成することを特徴とする請求項１に記載の番組表印刷装置。
【請求項７】
前記印刷制御部は、
余白部に番組情報を記載した番組表印刷用データを生成することを特徴とする請求項１に記載の番組表印刷装置。
【請求項８】
放送波を受信し選局するチューナーと、
前記チューナーにおいて選局した放送波をデコードし番組情報を抽出するＴＳデコーダと、
前記ＴＳデコーダにおいて抽出された番組情報を記憶する記憶部と、
前記記憶部に記憶された番組情報から放送時刻を表示する放送時刻表示枠と、各チャンネルを表示するチャンネル表示枠と、各番組の番組情報を表示する番組枠とによって構成される番組表印刷用データを生成して出力する印刷制御部と、
前記記憶部に視聴履歴から作成される嗜好情報を記憶し、前記番組表印刷用データに表示される番組の推薦度を算出する嗜好判断部とを、備え、
前記印刷制御部は、前記嗜好判断部で算出された推薦度の閾値より低い番組の番組情報の従番組枠に、他の番組枠の番組情報を印刷する番組表印刷用データを生成することを特徴とする番組表印刷装置。
【請求項９】
前記印刷制御部は、
前記嗜好判断部で算出した番組の推薦度が閾値より低い場合、より推薦度の高い番組情報を、前記推薦度が閾値より低い番組の従番組枠に印刷する番組表印刷用データを生成することを特徴とする請求項８に記載の番組表印刷装置。
【請求項１０】
前記印刷制御部は、
前記従番組枠に番組情報を印刷する場合、吹出しを用いて印刷し、
前記吹出しの起点が、前記空白領域に印刷される番組情報の番組を示す番組枠上に位置する番組表印刷用データを生成することを特徴とする請求項８に記載の番組表印刷装置。
【請求項１１】
前記記憶部は、画像データをさらに記憶しており、
前記印刷制御部は、
前記従番組枠に前記画像データを印刷することを特徴とする請求項８に記載の番組表印刷装置。
【請求項１２】
前記印刷制御部は、
前記従番組枠に番組情報を印刷する場合、
前記従番組枠の背景色と、
前記従番組枠に印刷される番組情報の番組を示す番組枠の背景色とを、
同一とした番組表印刷用データを生成することを特徴とする請求項８に記載の番組表印刷装置。
【請求項１３】
請求項１に記載の番組表印刷装置を用いた番組表印刷方法であって、
前記印刷制御部は、
印刷要求に基づいて印刷領域を決定し、
前記記憶部から印刷対象となる番組の番組基本情報を取得し、
前記各番組の番組情報を表示する表示枠の領域を含む番組表のレイアウトを決定し、
前記空白領域を有する従番組枠の空白領域のサイズを算出し、
前記従番組枠に隣接する、より番組情報の量の大きい主番組枠を検索し、
前記従番組枠の前記空白領域に前記主番組枠の前記番組情報を印刷することを特徴とする番組表印刷方法。
【請求項１４】
請求項８に記載の番組表印刷装置を用いた番組表印刷方法であって、
前記印刷制御部は、印刷要求に基づいて印刷領域を決定し、
前記記憶部から印刷対象となる番組の番組基本情報を取得し、
前記各番組の番組情報を表示する表示枠の領域を含む番組表のレイアウトを決定し、
全ての番組枠に対して嗜好判断部は、推薦度を算出し、
推薦度が閾値以下の従番組枠に対して、より番組情報の量の大きい主番組枠を検索し、
前記主番組枠の前記番組情報を前記従番組枠に印刷することを特徴とする番組表印刷方法。
【手続補正２】
【補正対象書類名】明細書
【補正対象項目名】全文
【補正方法】変更
【補正の内容】
【発明の詳細な説明】
【技術分野】
【０００１】
本発明は、番組情報受信機能を有する番組表印刷装置及び番組表印刷装置を用いた番組表印刷方法に関するものである。
【背景技術】
【０００２】
テレビジョン放送においてはアナログ・デジタルを問わず映像・音声信号等に加え、番組情報が重畳されることが一般化している。そして、この情報を受信・解析し、電子番組表あるいはその他の形態にて表示部上に表示出来る受信装置が普及している。
【０００３】
例えば、電子番組表の番組情報は、番組名、出演者、ジャンル等からなる番組基本情報と、あらすじ、関連ＵＲＬ等からなる番組詳細情報とが含まれている。また、電子番組表は、表示部上では番組毎に番組枠を形成し、枠内に番組基本情報を表示している。そして、電子番組表を利用することにより、テレビジョン受像機がユーザー操作を受けると選択された番組の番組情報を表示するといった機能が一般的に実現されている。したがって、ユーザーはより多くの情報を参照することが可能である。
【０００４】
このような電子番組表における番組情報を、表示部上だけではなく印刷装置を用いて紙面等に印刷する技術が開示されている（例えば、特許文献１または２に記載）。すなわち、表示部よりも高解像度で表現できる印刷装置の利点を活用し、表示部以上の情報を印刷する装置である。
【０００５】
電子番組表を紙面等に印刷し、参照出来るようにすることはユーザーにとって携帯・参照の容易さが向上する。しかしながら、印刷物においては番組表印刷装置のようにリモコン等の操作装置により必要な情報を必要なときに表示する機能が実現出来ない。
【０００６】
また、特許文献２は、印刷する際のフォントサイズの調整等によって電子番組表を紙面等に所定のページ数に収まるようにレイアウトする技術を提案している。したがって、この技術によれば静的により多くの情報を表示することができる。しかし、この発明は、ユーザーにとって有用性の高い情報も有用性の低い情報も画一的に扱われ、フォントサイズを小さくすることで視認性の悪化が考えられる。
【特許文献１】特開２００１−２２３９６８号公報
【特許文献２】特開２００４−２０８２９４号公報
【発明の開示】
【０００７】
番組表印刷装置は、放送波を受信し選局するチューナーと、チューナーにおいて選局した放送波をデコードし番組情報を抽出するＴＳデコーダと、ＴＳデコーダにおいて抽出された番組情報を記憶する記憶部とを備えている。また、記憶部に記憶された番組情報から放送時刻を表示する放送時刻表示枠と、各チャンネルを表示するチャンネル表示枠と、各番組の番組情報を表示する番組枠とによって構成される番組表印刷用データを生成して出力する印刷制御部とを有している。そして、印刷制御部は、番組表印刷用データにおいて番組情報を印刷する番組枠に空白領域がある場合、他の番組枠の番組情報を印刷する。
【０００８】
また、番組表印刷装置は、放送波を受信し選局するチューナーと、チューナーにおいて選局した放送波をデコードし番組情報を抽出するＴＳデコーダと、ＴＳデコーダにおいて抽出された番組情報を記憶する記憶部とを備えている。また、記憶部に記憶された番組情報から放送時刻を表示する放送時刻表示枠と、各チャンネルを表示するチャンネル表示枠と、各番組の番組情報を表示する番組枠とによって構成される番組表印刷用データを生成して出力する印刷制御部とを有している。さらに、記憶部に視聴履歴から作成される嗜好情報を記憶し、番組表印刷用データに表示される番組の推薦度を算出する嗜好判断部を備えている。そして、印刷制御部は、嗜好判断部で算出された推薦度の閾値より低い番組の番組情報の従番組枠に、他の番組枠の番組情報を印刷する番組表印刷用データを生成してもよい。
【０００９】
このような構成により、電子番組表の印刷において、空白の領域あるいはユーザーにとって有用性の低い番組情報を印刷する番組枠に対し、ユーザーにとって有用性の高い他の番組の番組情報を印刷することで、限られた紙面等の印刷対象により多くの有用な情報を印刷することが可能となる。
【００１０】
また、番組表印刷装置を用いた番組表印刷方法であって、印刷制御部は、印刷要求に基づいて印刷領域を決定し、記憶部から印刷対象となる番組の番組基本情報を取得し、各番組の情報を表示する表示枠の領域を含む番組表のレイアウトを決定し、空白領域を有する従番組枠の空白領域のサイズを算出し、従番組枠に隣接する、より番組情報の量の大きい主番組枠を検索し、従番組枠の空白領域に主番組枠の番組情報を印刷してもよい。
【００１１】
このような方法により、電子番組表の印刷において、ユーザーにとって有用性の低い番組情報を印刷する番組枠あるいは空白の領域に対し、ユーザーにとって有用性の高い他の番組の番組情報を印刷することで、限られた紙面等の印刷対象により多くの有用な情報を印刷することが可能となる。
【００１２】
さらにまた、番組表印刷装置を用いた番組表印刷方法であって、印刷制御部は、印刷要求に基づいて印刷領域を決定し、記憶部から印刷対象となる番組の番組基本情報を取得し、各番組の情報を表示する表示枠の領域を含む番組表のレイアウトを決定し、従番組枠のサイズを算出する。そして、推薦度が閾値以下の従番組枠に対して、より番組情報の量の大きい主番組枠を検索し、従番組枠に主番組枠の番組情報を印刷してもよい。
【発明を実施するための最良の形態】
【００１３】
以下、本発明の実施の形態について、図面を用いて説明する。
【００１４】
（実施の形態１）
以下図面を参照して、本発明の実施の形態１について説明する。図１は実施の形態１における番組表印刷装置の構成例を示すブロック図である。なお、本実施の形態では、番組情報は放送波から取得する装置として説明を行う。しかし、番組情報は有線放送あるいはインターネットから取得してもよい。
【００１５】
チューナー１０１は、システム制御部１０５からの制御により、放送波を受信する。そして、チューナー１０１は、放送波を選局して復調し、復調したトランスポートストリームをＴＳデコーダ１０２に送る。
【００１６】
ＴＳデコーダ１０２は、システム制御部１０５からの制御により、チューナー１０１から出力されたトランスポートストリームをデコードする。そして、ＴＳデコーダ１０２は、トランスポートストリームをデコードして得られた映像または音声パケットを、ＡＶデコーダ１０３に送る。また、ＴＳデコーダ１０２はトランスポートストリーム中の必要なデータをシステム制御部１０５へ渡す。すなわち、ＴＳデコーダ１０２は、チューナー１０１において選局した放送波をデコードし番組情報を抽出する。
【００１７】
ＡＶデコーダ１０３は、ＴＳデコーダ１０２から出力された映像および音声パケットを映像音声信号に復号する。そして、ＡＶデコーダ１０３は、復号された映像音声信号を表示制御部１０８へ送る。
【００１８】
表示制御部１０８は、ＡＶデコーダ１０３からの映像音声信号と番組表表示部１０７からの映像信号とを合成して、表示部１０９に出力する。なお、音声を出力するスピーカーも表示部１０９に含むものとする。
【００１９】
リモコン受信部１０４は、リモコンによるユーザー操作を受信する。そして、リモコン受信部１０４は、その受信内容をシステム制御部１０５へ送る。リモコンによるユーザー操作においては、一般的な選局操作等に加え、印刷する番組表において表示するチャンネル、時間帯の指定や印刷開始などの操作が可能である。
【００２０】
記憶部１０６は、システム制御部１０５を介して受信されたトランスポートストリーム中の番組情報を記憶する。すなわち、記憶部１０６は、ＴＳデコーダ１０２において抽出された番組情報を記憶する。番組情報は、番組名、出演者、ジャンル、チャンネル、放送時間等からなる番組基本情報と、あらすじ、関連ＵＲＬ，関連画像等からなる番組詳細情報からなる。番組情報は１日分でも複数日分であってもよい。
【００２１】
番組表表示部１０７は、システム制御部１０５からの制御により、記憶部１０６に格納された番組情報の全て、もしくは一部から、表示用の映像信号を生成する。そして、番組表表示部１０７は、この表示用の映像信号を表示制御部１０８に送る。
【００２２】
印刷制御部１１０は、システム制御部１０５からの制御により、記憶部１０６から番組情報を読み出して番組表印刷用データを生成する。すなわち、印刷制御部１１０は、記憶部１０６に記憶された番組情報から放送時刻を表示する放送時刻表示枠と、各チャンネルを表示するチャンネル表示枠と、各番組の番組情報を表示する番組枠とによって構成される番組表印刷用データを生成して出力する。そして、印刷制御部１１０は、この番組表印刷用データを印刷装置１１１に送る。印刷制御部１１０が、この番組表印刷用データを生成する詳細な説明は、後述する。
【００２３】
実施の形態１における番組表印刷装置は、番組表印刷データにおいて番組情報を表示する従番組枠に空白領域がある場合、その空白領域に他の番組の番組情報を印刷することを特徴とする。なお、従番組枠とは、他の番組枠の番組情報を印刷する番組枠である。また、従番組枠に番組情報を印刷する他の番組枠を主番組枠と呼ぶこととする。
【００２４】
番組表印刷装置の制御フローを、図２を用いて説明する。図２は本発明の実施の形態１における番組表印刷装置の番組表印刷処理手順を示すフローチャートである。図２を用いて、番組表印刷装置の番組表印刷処理手順について、詳細に説明する。
【００２５】
まず、ユーザーがリモコン操作により番組表の印刷を要求すると、システム制御部１０５が、その要求を解釈する。そして、システム制御部１０５は、印刷制御部１１０に印刷要求を発行する。このとき、印刷要求に基づいて、印刷制御部１１０は、印刷対象となるチャンネルや時間帯に関する情報を、記憶部１０６から受け取って印刷領域を決定する（Ｓ２０１）。
【００２６】
次に、印刷対象となる時間及びチャンネルを基づいて、印刷制御部１１０は、記憶部１０６から印刷対象となる番組の番組基本情報を取得する（Ｓ２０２）。そして、印刷制御部１１０は、各番組の情報を表示する表示枠の領域を含む番組表のレイアウトを決定する（Ｓ２０３）。このレイアウトの情報は、例えば記憶部１０６上に、図３のようなリスト構造で一時的に管理する。このリストにおいてはチャンネルごとに番組を管理し、番組毎に番組情報とその情報を表示する領域を座標で所持している。
【００２７】
具体的には、図３に示すように、この例では、チャンネル管理構造体には、チャンネルの番号などを記憶させている。そして、あるチャンネルのチャンネル管理構造体には、番組情報およびその番組情報を表示する領域を座標で所持している番組情報表示領域座標などを格納する番組管理構造体を次々と従属させている。また、それら番組管理構造体は、番組枠において空白領域が存在する場合、空白構造体を従属させている。空白構造体は、空白領域の座標及び空白領域のサイズなどを格納している。
【００２８】
各番組の表示領域は、番組基本情報における放送時間と印刷する番組表の時間帯に基づいて決定している。そのため、番組基本情報のサイズにより空白が生じる可能性がある。そこで、印刷制御部１１０は、空白が生じるかどうかを判別する。すなわち、印刷制御部１１０は、まず、番組枠のサイズと表示用フォントサイズにより表示可能文字数を判別する。そして、その結果に基づいて、印刷制御部１１０は、該当番組枠の番組基本情報の実際の文字数と比較する。そして、印刷制御部１１０は、表示可能文字数が実際の文字数より多い場合、該当番組枠において空白が存在すると判断する。そして、印刷制御部１１０は、空白領域を有する従番組枠の空白領域のサイズを算出する（Ｓ２０４）。
【００２９】
この空白領域のサイズは、例えば、図３に示したリストの各番組管理構造体に関連付けた空白管理構造体にて管理する。この空白領域の算出は、印刷対象となる全ての番組枠に対して実施する。この空白領域を有する番組枠を従番組枠と呼ぶこととする。続いて、印刷制御部１１０は、空白領域をどの番組情報の印刷に利用するかを判別する。すなわち、図３に示したリストを探索し、空白領域を持つ従番組枠をひとつ挙げる。ただし空白領域のサイズが小さい場合は効果が低いため、利用可能な領域を判断する閾値を設け、その閾値以上の空白領域を持つ番組枠のみを抽出しても構わない。
【００３０】
引き続き、印刷制御部１１０は、その従番組枠に隣接する番組枠を探索する。隣接とは空白領域を持つ番組枠のチャンネルに隣り合うチャンネルにて放送され、なおかつ放送時間帯の一部あるいは全てが重複している状態を表す。このような番組枠の中でより有用な番組を決めるための情報として本実施の形態においては番組情報の量を基準として用いる。具体的には、空白領域を有する従番組枠に隣接する、より番組情報の量の大きい番組枠を主番組枠検索する（Ｓ２０５）。ここでは、実際の文字数が表示可能文字数より多い番組枠のうち、最も実際の文字数が多い番組枠を主番組枠とする。
【００３１】
主番組枠が特定された後、従番組枠の空白領域に主番組枠の番組情報を印刷する（Ｓ２０６）。そのため、空白管理構造体は主番組枠の管理下におかれる。
【００３２】
なお、印刷制御部１１０は、印刷する際に従番組枠の空白領域と主番組枠の結合状態を示すために、例えば、本実施の形態においては両者の境界線を印刷しないようにする。
【００３３】
次に、印刷制御部１１０は、全ての空白領域を持つ番組枠について上記処理を行ったか判定する（Ｓ２０７）。そして、ＹＥＳの場合、印刷装置用のデータを作成する（Ｓ２０８）。次に、印刷制御部１１０は、印刷装置用のデータを印刷装置に送信し、番組表の印刷を行う。また、ＮＯの場合、ステップＳ２０５に戻って、従番組枠に隣接する、より番組情報の量の大きい番組枠を探索する。
【００３４】
次に、図４Ａ、４Ｂ、４Ｃにそれぞれ示す番組表印刷イメージ４６０、４６２、４６４の概念図を用いて、上記フローを説明する。図４Ａは隣接した番組枠の結合をする前の番組表印刷イメージ４６０の概念図である。図４Ｂは隣接した番組枠の結合を、境界線を印刷しないことで表現した番組表印刷イメージ４６２の概念図である。図４Ｃは隣接した番組枠の結合を、吹出し４０８により表現した番組表印刷イメージ４６４の概念図である。
【００３５】
図４Ａに示すように、左端の枠が各番組の放送時刻を表示する放送時刻表示枠４５０である。また、上段の枠、例えば、「４ｃｈ  ＡＡＡ」が、各チャンネルを表示するチャンネル表示枠４５２である。そして、図４Ａには、各番組の番組情報を表示する番組枠４５４を例として示している。また、番組表印刷用データを具体的な印刷事例で表現した番組表印刷イメージ４６０で示している。なお、印刷制御部１１０が、印刷装置１１１に送る番組表印刷用データはデジタル信号によるデータであっても、アナログ信号であってもよい。すなわち、番組表印刷イメージ４６０の概念図のように印刷装置１１１が印刷できるように印刷制御部１１０と印刷装置１１１との間にて、データのやり取りの方式を予め決めておけばよい。
【００３６】
図２に示したステップＳ２０５の制御において、図４Ａの空白領域４０３を持つ従番組枠４０１が探索されたとする。次に、図２に示したステップＳ２０６の制御においては、図４Ａの従番組枠４０１に隣接し、より番組情報の量の大きい番組枠を探索する。この結果、図４Ａの主番組枠４０２が探索され、空白領域４０３は主番組枠４０２の番組情報を印刷する領域となる。
【００３７】
印刷結果として、図４Ａの従番組枠４０１は、図４Ｂに示すように番組枠４０４のように空白領域４０３を除いた形で印刷される。また、図４Ａの主番組枠４０２は空白領域４０３と結合される。そして、図４Ａの主番組枠４０２は、図４Ｂに示すように番組枠４０５のように拡大して印刷される。その結果、空白領域４０３には主番組枠４０２の番組情報が印刷される。そして、結合した番組枠は４０５のように番組枠と番組枠の間のチャンネルの境界を示す線を表示せずに印刷することで表現する。
【００３８】
上記したように、印刷制御部１１０は、空白領域をもつ従番組枠４０１に隣接する番組枠であって、より番組情報が多い主番組枠４０２の番組情報を、空白領域をもつ従番組枠４０１の空白領域４０３に印刷する番組表印刷用データを生成する。したがって、電子番組表の印刷において、ユーザーにとって有用性の低い空白の領域に対し、ユーザーにとって有用性の高い他の番組の番組情報を印刷することで、限られた紙面等の印刷対象により多くの有用な情報を印刷することが可能となる。
【００３９】
なお、図４Ｃは隣接した番組枠の結合を、吹出し４０８により表現した番組表印刷イメージ４６４の概念図である。このように隣接した番組枠の結合を、吹出し４０８により表現した場合については、後述する。
【００４０】
また、印刷制御部は、必ずしも全ての番組枠を探索しなくともよい。例えば、印刷する番組表印刷用データに含まれる番組枠にのみ限定してもよい。また、表示する番組枠にのみ限定してもよい。このようにすることで、検索処理に掛かる時間を短縮できる。
【００４１】
（実施の形態２）
図面を参照して、本発明の実施の形態２における番組表印刷装置について説明する。図５は実施の形態２における番組表印刷装置の構成を示すブロック図である。図５に示すように本実施の形態における番組表印刷装置が、図１にて示した実施形態１における番組表印刷装置と異なる点は、嗜好判断部５０１をさらに有することである。他の構成と動作は同一であるため、同一の符号を付加して、詳細な説明は省略する。
【００４２】
図５に示すように、本実施の形態における番組表印刷装置は、番組表印刷用データに表示される番組の推薦度を算出する嗜好判断部５０１をさらに備えている。また、記憶部１０６は、視聴履歴から作成される嗜好情報を記憶する。嗜好判断部５０１は、システム制御部１０５からの制御によりユーザーが視聴した番組の番組情報を記憶部１０６から取得する。そして、嗜好判断部５０１は、嗜好分析のためのデータ（以下、嗜好情報とする）を記憶部１０６に蓄積する。また、嗜好判断部５０１は、蓄積された嗜好情報と番組情報からユーザーの嗜好に適した番組を分析する。
【００４３】
そして、その分析結果に基づいて、嗜好判断部５０１は、各番組の推薦度を算出することが可能である。すなわち、番組の推薦度を算出するためには、例えば、番組を視聴した回数、時間、あるいはチャンネルの切換え操作の回数、録画の回数などに対して、適宜重み付けをして加算する方法を用いてもよい。あるいは、当該番組と同一のジャンルの番組について、同様に、それらの項目に対して、適宜重み付けをして加算する方法を用いてもよい。そして、嗜好判断部５０１は、各番組の推薦度を記憶部１０６、番組表表示部１０７、及び印刷制御部１１０に出力する。
【００４４】
また、番組の推薦度は、例えば、最大値を１００となるように正規化し、その半分である５０を閾値としてもよい。閾値を設けることにより、番組の推薦度が大きくて閾値以上の場合、番組の推薦度が高いとしてもよい。また、あるいは番組の推薦度が閾値より小さい場合、番組の推薦度が低いとしてもよい。
【００４５】
空白領域を持つ従番組枠に他の番組の番組情報を印刷させるにあたり、実施の形態１においては番組情報の情報量のより多いものを主番組枠としていた。しかし、実施の形態２においては番組情報の情報量に代えて、番組推薦度のより高い番組枠を主番組枠とする。すなわち、図２に示される実施の形態１のフローのステップＳ２０５において番組情報の情報量の代わりに、番組の推薦度を優先して用いる。
【００４６】
図６は本発明の実施の形態２における番組表印刷処理手順を示すフローチャートである。すなわち、図６におけるフローチャートにおいて、ステップＳ６０１からステップＳ６０３までは、実施の形態１にて説明した図２のステップＳ２０１からステップＳ２０３と同一制御であるため詳細な説明を省略する。
【００４７】
既に述したように、印刷制御部１１０は、各番組の情報を表示する表示枠の領域を含む番組表のレイアウトを決定する（Ｓ６０３）。そして、全ての番組枠に対して嗜好判断部５０１は、記憶部１０６に格納された嗜好情報と番組情報を元に推薦度を算出し（Ｓ６０４）、付与する。次に、印刷制御部１１０は、空白領域を持つ従番組枠に隣接する番組枠であって、嗜好判断部で算出された推薦度のより高い番組の番組枠を探索し、主番組枠として特定する（Ｓ６０５）。
【００４８】
主番組枠が特定された後、従番組枠の空白領域に主番組枠の番組情報を印刷する（Ｓ６０６）。ここでは、最も推薦度の高い番組を主番組枠として特定する。そのため、空白管理構造体は主番組枠の管理下におかれる。なお、印刷する際に従番組枠の空白領域と主番組枠の結合状態を示すために、例えば、本実施の形態においては両者の境界線を印刷しないようにしてもよい。また、従番組枠の空白領域と主番組枠の結合状態を示すために、吹出しにより表現してもよい。
【００４９】
次に、全ての空白領域を持つ番組枠について上記処理を行ったか判定する（Ｓ６０７）。ＹＥＳの場合、印刷装置用のデータを作成する（Ｓ２０８）。そして、印刷制御部１１０は、印刷装置用のデータを印刷装置１１１に送信し、番組表の印刷を行う。また、ＮＯの場合、ステップＳ６０５に戻って、従番組枠に隣接する番組枠を探索する。
【００５０】
上記したように、印刷制御部１１０は、空白領域をもつ従番組枠に隣接する番組枠であって、嗜好判断部５０１で算出された推薦度のより高い番組の番組情報を空白領域に印刷する番組表印刷用データを生成する。
【００５１】
なお、本実施の形態では、空白領域をもつ従番組枠に隣接する番組枠であって、嗜好判断部５０１で算出された推薦度のより高い番組の番組情報を空白領域に印刷する番組表印刷用データを生成した。しかし、印刷制御部１１０は、嗜好判断部５０１で算出された推薦度のより高い番組の番組枠を、必ずしも空白領域を持つ従番組枠に隣接する番組枠に限定して、探索しなくともよい。
【００５２】
すなわち、番組表印刷装置は、放送波を受信し選局するチューナー１０１と、チューナー１０１において選局した放送波をデコードし番組情報を抽出するＴＳデコーダ１０２と、ＴＳデコーダ１０２において抽出された番組情報を記憶する記憶部１０６と、を備えている。そして、記憶部１０６に記憶された番組情報から放送時刻を表示する放送時刻表示枠と、各チャンネルを表示するチャンネル表示枠と、各番組の番組情報を表示する番組枠とによって構成される番組表印刷用データを生成して出力する印刷制御部１１０と、を有している。さらに、記憶部１０６に視聴履歴から作成される嗜好情報を記憶し、番組表印刷用データに表示される番組の推薦度を算出する嗜好判断部５０１と、を備えている。そして、印刷制御部１１０は、嗜好判断部５０１で算出された推薦度の閾値より低い番組の番組情報の従番組枠に、他の番組枠の番組情報を印刷する番組表印刷用データを生成してもよい。
【００５３】
これにより、空白領域あるいは、ユーザーにとって有用性の低い番組情報を印刷する番組枠、すなわち推薦度の閾値より低い番組の番組情報の従番組枠には、ユーザーの嗜好に適した番組の番組情報を優先して表示することができる。したがって、ユーザーにとって有用性の高い他の番組の番組情報を表示することで、限られた紙面等の印刷対象により多くの有用な情報を印刷することが可能となる。
【００５４】
なお、嗜好判断部は、必ずしも全ての番組枠を探索しなくともよい。例えば、印刷する番組表印刷用データに含まれる番組枠にのみ限定してもよい。また、表示する番組枠にのみ限定してもよい。このようにすることで、検索処理に掛かる時間を短縮できる。
【００５５】
（実施の形態３）
図面を参照して本発明の実施の形態３について説明する。本発明の実施の形態３における番組表印刷装置の構成は、実施の形態２と同じであり、図５の構成図を用いて説明する。実施の形態３においては、実施の形態２と同様に嗜好判断部５０１において、ユーザーに対する各番組の推薦度を算出する。そして、この番組の推薦度を用いて、空白領域を持ち推薦度の低い番組枠に推薦度の高い番組枠の番組情報を印刷する。本実施の形態における番組表印刷装置の制御フローを、図７のフローチャートと図５の構成図を用いて説明する。
【００５６】
図７は本発明の実施の形態３における番組表印刷処理手順を示すフローチャートである。図７におけるフローチャートにおいて、ステップＳ６０１からステップＳ６０４までは実施の形態２にて説明した図６のステップＳ６０１からステップＳ６０４と同一制御であるため説明を省略する。
【００５７】
既に述べたように、全ての番組枠に対して嗜好判断部５０１は記憶部１０６に格納された嗜好情報と番組情報を元に推薦度を算出し（Ｓ６０４）、付与する。
【００５８】
続いて、ユーザーに対する推薦度が低いと判断する推薦度の閾値（ここでは例えば、５０）と各番組枠の推薦度を比較し、閾値と比較して推薦度の低い番組枠を従番組枠と決定する。
【００５９】
そして、従番組枠と決定された番組枠に隣接する番組枠の推薦度を検索し、より推薦度が高い番組枠を探索する（Ｓ６５０）。なお、ユーザーに対しての推薦度が低いと判断する閾値は固定値（ここでは例えば、５０）でも、ユーザー操作により決定される値でも構わない。探索した番組枠のうち、より推薦度が高い番組枠を主番組枠とする。そして、従番組枠には主番組枠の番組情報を印刷する（Ｓ６５２）。
【００６０】
次に、番組表印刷装置は番組枠のうち、閾値より推薦度が低い番組枠について、すべて従番組枠と決定し、主番組枠として番組情報を処理したかを判断する（Ｓ６５４）。閾値より推薦度が低い番組枠について、従番組枠と決定していない番組枠があれば（ＮＯ）、再びその番組枠を従番組枠として、隣接する番組枠を検索する（Ｓ６５０）。一方、閾値より推薦度が低い番組枠について、従番組枠と決定していない番組枠が無い場合（ＹＥＳ）は、次のフローに進む。
【００６１】
上記フローの後、閾値より推薦度が低い番組枠について、従番組枠と決定していない番組枠がなくなった際には、印刷装置用のデータを作成し（Ｓ６０８）、印刷装置にデータを送信して印刷を行う。
【００６２】
上記したように、印刷制御部１１０は、嗜好判断部５０１で算出した番組の推薦度が閾値より低い場合、隣接する番組枠の番組であって、より推薦度の高い番組情報を、推薦度が閾値より低い番組の従番組枠に印刷する番組表印刷用データを生成する。
【００６３】
なお、本実施の形態では、印刷制御部１１０は、嗜好判断部５０１で算出した番組の推薦度が閾値より低い場合、より推薦度の高い番組情報を、隣接する番組枠の番組から探索した。しかし、必ずしもより推薦度の高い番組情報を、隣接する番組枠の番組に限定して探索しなくともよい。
【００６４】
すなわち、番組表印刷装置は、印刷制御部１１０は、嗜好判断部５０１で算出した番組の推薦度が閾値より低い場合、より推薦度の高い番組情報を、推薦度が閾値より低い番組の従番組枠に印刷する番組表印刷用データを生成してもよい。
【００６５】
これにより、ユーザーの嗜好と異なる番組の番組表上に、ユーザーの嗜好に適した番組の番組情報を優先して印刷することができる。したがって、ユーザーにとって有用性の高い他の番組の番組情報を印刷することで、限られた紙面等の印刷対象により多くの有用な情報を印刷することが可能となる。
【００６６】
なお、嗜好判断部は、必ずしも全ての番組枠を探索しなくともよい。例えば、印刷する番組表印刷用データに含まれる番組枠にのみ限定してもよい。また、表示する番組枠にのみ限定してもよい。このようにすることで、検索処理に掛かる時間を短縮できる。
【００６７】
（実施の形態４）
図面を参照して本発明の第４の実施の形態について説明する。本発明の実施の形態４における番組表印刷装置の構成は実施の形態２と同様であり、図５に示したとおりであるため説明を省略する。実施の形態１から実施の形態３においては主番組枠と空白領域もしくは従番組枠の結合を、境界線を印刷しないことで表現していたが、本実施の形態では吹出しにより表現する。この表現により、ユーザーは、番組枠の主従関係が直感的に把握できるようになる。
【００６８】
この表現を図４Ａ、４Ｃの概念図を用いて説明する。図４Ｃは隣接した番組枠の結合を、吹出し４０８により表現した番組表印刷イメージ４６４の概念図である。図４Ａに示した番組表印刷イメージ４６０において、従番組枠４０１は主番組枠４０２に対して従の関係にある。したがって、空白領域４０３を主番組枠４０２の番組情報の印刷に用いる。このようにして、印刷制御部１１０は、空白領域に番組情報を印刷する場合には、吹出し４０８により表現する。
【００６９】
実施の形態４においては、図４Ａの番組表印刷イメージ４６０に示す主番組枠４０２は、図４Ｃの番組表印刷イメージ４６４に示す番組枠４０７のように吹出し４０８の起点となる。番組表印刷イメージ４６０に示す空白領域４０３は、番組表印刷イメージ４６４に示す吹出し４０８のように番組枠４０７を起点とした表示領域となる。
【００７０】
上述したように、印刷制御部１１０は、空白領域に番組情報を印刷する場合、吹出し４０８により表示する。そして、印刷制御部１１０は、吹出し４０８の起点が、空白領域に印刷される番組情報の番組を示す番組枠上に位置する番組表印刷用データを生成する。したがって、ユーザーは番組枠４０７に関連した情報を表示していることを容易に判断できる。
【００７１】
なお、本実施の形態では、隣接した番組枠の結合を、吹出し４０８により表現している。しかし、必ずしも結合する番組枠は隣接していなくともよい。すなわち、結合する番組枠は隣接していない場合でも、印刷制御部１１０は、従番組枠に番組情報を印刷する場合、吹出しを用いて印刷し、吹出しの起点が、空白領域に印刷される番組情報の番組を示す番組枠上に位置する番組表印刷用データを生成してもよい。
【００７２】
なお、嗜好判断部は、必ずしも全ての番組枠を探索しなくともよい。例えば、印刷する番組表印刷用データに含まれる番組枠にのみ限定してもよい。また、表示する番組枠にのみ限定してもよい。このようにすることで、検索処理に掛かる時間を短縮できる。
【００７３】
（実施の形態５）
図面を参照して本発明の実施の形態５について説明する。実施の形態４においては、番組枠間の主従関係を示すために、吹出しを用いて表現している。しかし、本実施の形態においては、番組枠間の関連性を直感的に示すために番組枠の背景色を同色にする点が、実施の形態４と異なる。実施の形態４と同一な構成とその動作については説明を省略する。
【００７４】
図８Ａ、Ｂは番組枠に同じ背景色を付与した番組表印刷イメージ７６０，７６２を説明するための概念図である。図８Ａは番組枠間の関連付けを行う前の番組表印刷イメージ７６０の概念図である。まず、図８Ａを用いて具体的に説明する。
【００７５】
図８Ａにおいて番組枠７０１は空白領域７０３を含む。また、番組枠７０１は番組枠７０２に対して従の関係にあり、番組枠７０２の番組情報を空白領域７０３に印刷する。
【００７６】
図８Ｂは番組枠に同じ背景色を付与した番組表印刷イメージ７６２の概念図である。図８Ｂに示すように、印刷制御部１１０は、図８Ａの空白領域７０３と番組枠７０２の背景色を同色にするとともに、他の番組枠とは異なる色で塗りつぶす。これにより、空白領域７０３と番組枠７０２との関連性、及び、空白領域７０３と番組枠７０２と他の番組枠の非関連性を容易に示すことができる。番組枠７０５は番組枠７０２と同様の番組情報を印刷する。また、空白領域７０３には、空白領域７０６に番組枠７０５に印刷されている番組の番組情報が印刷される。
【００７７】
上記したように、印刷制御部１１０は、空白領域に番組情報を印刷する場合、空白領域の背景色と、空白領域に印刷される番組情報の番組を示す番組枠の背景色とを、同一とした番組表印刷用データを生成する。
【００７８】
なお、本実施の形態では、隣接した番組枠を例にして説明したが、必ずしも隣接した番組枠に限るものではない。すなわち、番組枠は隣接していない場合でも、印刷制御部１１０は、従番組枠に番組情報を印刷する場合、従番組枠の背景色と、従番組枠に印刷される番組情報の番組を示す番組枠の背景色とを、同一とした番組表印刷用データを生成してもよい。
【００７９】
これにより、空白領域に他の番組枠の番組に対応する番組情報が印刷された場合に、空白領域に表示された番組情報と関連する番組とを容易に認識することができる。
【００８０】
（実施の形態６）
図面を参照して本発明の実施の形態６について説明する。本発明の実施の形態６における番組表印刷装置は、空白領域をもつ従番組枠に画像データを印刷することを特徴とする。本実施の形態おける番組表印刷装置の構成は実施の形態２と同様であり、図５に示した通りであるため説明を省略する。図９は本発明の実施の形態６における番組表印刷処理手順を示すフローチャートである。本実施の形態の動作フローについて、図９のフローチャートを用いて説明する。
【００８１】
ステップＳ８０１からステップＳ８０４の制御は実施の形態１のステップＳ２０１からステップＳ２０４までの制御と同様であるため説明を省略する。
【００８２】
番組表印刷装置は、空白領域を持つ全ての従番組枠に対し、記憶部１０６に蓄積された空白領域に表示する画像データである付加情報から挿入可能なものを探索する（Ｓ８０５）。付加情報としては、例えば、広告用画像情報、番組トピックス、天気予報などが挙げられる。挿入可能な付加情報がある場合、空白領域をもつ従番組枠の空白領域に付加情報を挿入し、印刷する（Ｓ８０６）。全ての番組枠に対して処理が完了したかを判定する（Ｓ８０７）。その結果、完了していなければ（ＮＯ）、ステップＳ８０５に戻る。また、完了していれば（ＹＥＳ）、印刷装置用データを作成する（Ｓ８０８）。そして、印刷装置に送信する。
【００８３】
上述したように、記憶部１０６は、画像データをさらに記憶しており、印刷制御部１１０は、空白領域をもつ従番組枠に画像データを印刷する。
【００８４】
なお、本実施の形態では、隣接した番組枠を例にして説明したが、必ずしも隣接した番組枠に限るものではない。すなわち、番組枠は隣接していない場合でも、記憶部は、画像データをさらに記憶しており、印刷制御部は、従番組枠に画像データを印刷してもよい。
【００８５】
これにより、空白領域にはその空白領域を持つ番組枠に関連する付加情報を印刷することができる。したがって、限られた紙面等の印刷対象により多くの有用な情報を印刷することが可能となる。
【００８６】
（実施の形態７）
図面を参照して本発明の第７の実施の形態について説明する。実施の形態１から実施の形態３においては、主番組枠に対して従番組枠は、隣接する番組枠から選択していた。しかし、本実施の形態７においては、隣接しない主番組枠と従番組枠を決定する。これらの番組枠の結合状態は、実施の形態４の吹出しを用いた表現、あるいは実施の形態５における番組枠の背景色を同一にする表現によって実現する。本発明の実施の形態７における番組表印刷装置の構成は実施の形態１と同様であり、図５に示した通りであるため説明を省略する。
【００８７】
図１０Ａは関連付けすべき番組枠９０１，９０２が離れている場合の番組表印刷イメージ９６０の概念図である。図１０Ａにおいて番組枠９０２は空白領域９０３を含み、番組枠９０２の番組情報を印刷する。図１０Ｂは離れている番組枠を吹出しにより関連付けした番組表印刷イメージ９６２の概念図である。
【００８８】
図１０Ｂは吹出しを用いた表現であり、図１０Ａの番組枠９０１は、図１０Ｃの番組枠９０４のように吹出しの起点となる。そして、図１０Ａの空白領域９０３は、図１０Ｂに示すように番組情報を印刷する吹出し９０６として表示される。
【００８９】
図１０Ｃは離れている番組枠に同じ背景色を付与して関連付けした番組表印刷イメージ９６４の概念図である。図１０Ｃは背景色による関連付けを行った表現であり、図１０Ａの番組枠９０１は、図１０Ｃの番組枠９０７のように背景色を特定の色で塗りつぶしている。また、図１０Ａの空白領域９０３も図１０Ｃの空白領域９０９のように番組枠９０７と同じ色で塗りつぶされた上で番組枠９０１の番組情報を印刷する。
【００９０】
上述したように、印刷制御部１１０は、より番組情報が多い主番組枠の番組情報を、空白領域をもつ従番組枠の空白領域に印刷する番組表印刷用データを生成してもよい。
【００９１】
また、記憶部１０６は、番組表印刷用データに表示される番組の推薦度を算出する嗜好判断部５０１をさらに備えている。記憶部１０６は、視聴履歴から作成される嗜好情報を記憶している。そして、印刷制御部１１０は、空白領域をもつ従番組枠に、嗜好判断部５０１で算出された、より推薦度の高い番組の番組情報を空白領域に印刷する番組表印刷用データを生成してもよい。
【００９２】
さらにまた、印刷制御部１１０は、嗜好判断部５０１で算出した番組の推薦度が閾値より低い場合、より推薦度の高い番組情報を、推薦度が閾値より低い番組の従番組枠に印刷する番組表印刷用データを生成してもよい。
【００９３】
このようにして、隣接しない番組枠の空白領域であっても、番組情報を印刷することができる。したがって、限られた紙面等の印刷対象により多くの有用な情報を印刷することが可能となる。
【００９４】
（実施の形態８）
図面を参照して本発明の実施８の形態について説明する。本実施の形態においては、印刷対象の番組表以外の余白あるいは裏面に特定の番組情報あるいは付加情報を印刷することが実施の形態１と異なる。本発明の第８の実施の形態にかかる番組表印刷装置の構成は実施の形態１と同様であり、図５に示した通りであるため説明を省略する。
【００９５】
ユーザーは番組表を印刷するに際して、印刷する番組表のチャンネル数、時間帯を指定することが可能である。しかし、印刷対象（プリンタ用紙など）に対して印刷する番組表の面積が小さい場合、余白が生じる。印刷制御部１１０は、通常、印刷対象の面積に関する情報を予め保持している。この場合、印刷する番組表の面積と比較した結果、余白が生じる場合は実施の形態１または２と同様に番組情報のサイズや番組推薦度を用いてユーザーにとって有用な情報を判断し、余白に印刷する。番組枠との関連付けは実施の形態４に示した吹出しを用いたり、実施の形態５に示した背景色による表現を用いたりして表現できる。すなわち、印刷制御部１１０は、余白部に番組情報を記載した番組表印刷用データを生成してもよい。
【００９６】
印刷結果を図１１Ａの概念図を用いて説明する。図１１Ａは印刷対象の空白領域あるいは裏面に番組情報を付加した番組表印刷イメージ１０６０の概念図である。図１１Ａに示すように、印刷対象１００１にはユーザーにとって有用度が高い番組の番組枠１００２が印刷される。その際、番組枠１００２の番組情報を印刷するために設けた枠である番組枠１００３に、番組枠１００２の番組情報が印刷される。番組枠１００３は、元々は余白であった領域であるが、本実施の形態により新たに印刷される情報である。また、番組枠１００３は付加情報であっても構わない。
【００９７】
さらに、番組枠１００３を印刷対象の裏面に設定することも可能である。図１１Ｂは印刷対象の空白領域あるいは裏面に番組情報を付加した番組表印刷イメージ１０６２の概念図である。図１１Ｂは印刷対象の裏面を表し、表面に図１１Ａが印刷されているとする。番組枠１００２の番組情報が番組枠１００４に記され、関連付けは実施の形態５に示した背景色による表現で示すことが可能である。
【００９８】
これにより、番組表を印刷しない余白の部分または印刷対象の裏側の余白の部分に番組情報を印刷することができる。したがって、限られた紙面等の印刷対象により多くの有用な情報を印刷することが可能となる。
【００９９】
（実施の形態９）
図面を参照して、本発明の実施の形態９について説明する。本実施の形態における番組表印刷装置は、実施の形態２と同様に嗜好判断部５０１において、ユーザーに対する各番組の推薦度を算出する。そして、この番組の推薦度を用いて、空白領域を持たない推薦度の低い番組枠に推薦度のより高い番組枠の番組情報を印刷する。本発明の実施の形態９における番組表印刷装置の構成は、実施の形態２と同じであり、図５の構成図を用いて説明する。ただし、構成は同一であるため、詳細な説明は省略する。本実施の形態における番組表印刷装置の制御フローを、図１２のフローチャートと図１３Ａ、１３Ｂ、１３Ｃの番組表印刷イメージ１２５０，１２６２，１２６４の概念図を用いて説明する。
【０１００】
図１２は本発明の実施の形態９における番組表印刷処理手順を示すフローチャートである。すなわち、図１２におけるフローチャートにおいて、ステップＳ６０１からステップＳ６０４までは、実施の形態２にて説明した図６のステップＳ６０１からステップＳ６０４と同一制御であるため詳細な説明を省略する。
【０１０１】
既に述したように、全ての番組枠に対して嗜好判断部５０１は、記憶部１０６に格納された嗜好情報と番組情報を元に推薦度を算出し（Ｓ６０４）、付与する。  
【０１０２】
続いて、ユーザーに対する推薦度が低いと判断する推薦度の閾値（ここでは例えば、５０）と各番組枠の推薦度を比較し、閾値と比較して推薦度の低い番組枠を従番組枠と決定する。そして、他の番組枠の推薦度を検索し、より推薦度が高い主番組枠を探索する（Ｓ６７０）。そして、探索した番組枠のうち、より推薦度が高い主番組枠の番組情報を、従番組枠に印刷する（Ｓ６７２）。なお、ユーザーに対しての推薦度が低いと判断する閾値は固定値（ここでは例えば、５０）でも、ユーザー操作により決定される値でも構わない。
【０１０３】
次に、全ての推薦度が閾値以下の番組枠について、上記処理を行ったか判定する（Ｓ６５４）。そして、上記処理を行った場合（ＹＥＳ）、印刷装置用のデータを作成する（Ｓ６０８）。そして、印刷装置に送信し、番組表の印刷を行う。また、上記処理を行っていない場合（ＮＯ）、ステップＳ６７０に戻って、推薦度が閾値以下の従番組枠に対して、より推薦度の高い主番組枠を探索する。この際、既に探索された主番組枠は除かれる。
【０１０４】
なお、印刷する際に従番組枠と主番組枠との結合状態を示すために、例えば、図１３Ｂに示すように、吹出し１２０６により表現してもよい。また、図１３Ｃに示すように、印刷制御部１１０は、主番組枠１２０７と、番組枠１２０８の一部領域１２０９とに、主番組枠１２０７の番組情報を印刷した部分との背景色を同色にするとともに、他の番組枠とは異なる色で塗りつぶす。これにより、番組枠１２０７と一部領域１２０９との関連性、及び、一部領域１２０９と番組枠１２０８と他の番組枠の非関連性を容易に示すことができる。
【０１０５】
なお、本実施の形態においては、図１３Ａに示すように、従番組枠と主番組枠とは隣接しない場合を想定して、説明した。しかし、従番組枠と主番組枠とが隣接している場合にも、本実施の形態は実施可能である。この場合には、既に述べたように、従番組枠と主番組枠との境界線を印刷しないようにして両者の関連性を表現してもよい。
【０１０６】
また、嗜好判断部は、必ずしも全ての番組枠を探索しなくともよい。例えば、印刷する番組表印刷用データに含まれる番組枠にのみ限定してもよい。また、表示する番組枠にのみ限定してもよい。このようにすることで、検索処理に掛かる時間を短縮できる。
【産業上の利用可能性】
【０１０７】
本発明にかかる番組表印刷装置は、従来と同サイズの印刷対象に、ユーザーにとってより有用な情報を印刷することが可能となるものであり、特に番組情報受信機能を有する受信装置等において有用である。
【図面の簡単な説明】
【０１０８】
【図１】本発明の実施の形態１における番組表印刷装置の構成を示すブロック図
【図２】本発明の実施の形態１における番組表印刷装置の番組表印刷処理手順を示すフローチャート
【図３】番組表印刷データを作成する上で用いるデータ構造例を示す図
【図４Ａ】隣接した番組枠の結合をする前の番組表印刷イメージの概念図
【図４Ｂ】隣接した番組枠の結合を、境界線を印刷しないことで表現した番組表印刷イメージの概念図
【図４Ｃ】隣接した番組枠の結合を、吹出しにより表現した番組表印刷イメージの概念図
【図５】本発明の実施の形態２における番組表印刷装置の構成を示すブロック図
【図６】本発明の実施の形態２における番組表印刷処理手順を示すフローチャート
【図７】本発明の実施の形態３における番組表印刷処理手順を示すフローチャート
【図８Ａ】本発明の実施の形態５における番組枠間の関連付けを行う前の番組表印刷イメージの概念図
【図８Ｂ】本発明の実施の形態５における番組枠に同じ背景色を付与した番組表印刷イメージの概念図
【図９】本発明の実施の形態６における番組表印刷処理手順を示すフローチャート
【図１０Ａ】関連付けすべき番組枠が離れている場合の番組表印刷イメージの概念図
【図１０Ｂ】離れている番組枠を吹出しにより関連付けした番組表印刷イメージの概念図
【図１０Ｃ】離れている番組枠に同じ背景色を付与して関連付けした番組表印刷イメージの概念図
【図１１Ａ】印刷対象の空白領域あるいは裏面に番組情報を付加した番組表印刷イメージの概念図
【図１１Ｂ】印刷対象の空白領域あるいは裏面に番組情報を付加した番組表印刷イメージの概念図
【図１２】本発明の実施の形態９における番組表印刷処理手順を示すフローチャート
【図１３Ａ】関連付けすべき番組枠が離れている場合の番組表印刷イメージの概念図
【図１３Ｂ】離れている番組枠を吹出しにより関連付けした番組表印刷イメージの概念図
【図１３Ｃ】離れている番組枠に同じ背景色を付与して関連付けした番組表印刷イメージの概念図
【符号の説明】
【０１０９】
１０１    チューナー
１０２    ＴＳデコーダ
１０３    ＡＶデコーダ
１０４    リモコン受信部
１０５    システム制御部
１０６    記憶部
１０７    番組表表示部
１０８    表示制御部
１０９    表示部
１１０    印刷制御部
１１１    印刷装置
４０１    従番組枠
４０２    主番組枠
４０３    空白領域
４０４    番組枠
４０５    番組枠
４０７    番組枠
４０８    吹出し
４５０    放送時刻表示枠
４５２    チャンネル表示枠
４５４    番組枠
４６０    番組表印刷イメージ
４６２    番組表印刷イメージ
４６４    番組表印刷イメージ
５０１    嗜好判断部
７０１    番組枠
７０２    番組枠
７０３    空白領域
７０５    番組枠
７０６    空白領域
７６０    番組表印刷イメージ
７６２    番組表印刷イメージ
９０１    番組枠
９０２    番組枠
９０３    空白領域
９０４    番組枠
９０６    吹出し
９０７    番組枠
９０９    空白領域
９６０    番組表印刷イメージ
９６２    番組表印刷イメージ
９６４    番組表印刷イメージ
１００１    印刷対象
１００２    番組枠
１００３    番組枠
１００４    番組枠
１０６０    番組表印刷イメージ
１０６２    番組表印刷イメージ
１２６０    番組表印刷イメージ
１２６２    番組表印刷イメージ
１２６４    番組表印刷イメージ
【手続補正３】
【補正対象書類名】図面
【補正対象項目名】全図
【補正方法】変更
【補正の内容】
【図１】
2009008171.tif 000024
【図２】
2009008171.tif 000025
【図３】
2009008171.tif 000026
【図４Ａ】
2009008171.tif 000027
【図４Ｂ】
2009008171.tif 000028
【図４Ｃ】
2009008171.tif 000029
【図５】
2009008171.tif 000030
【図６】
2009008171.tif 000031
【図７】
2009008171.tif 000032
【図８Ａ】
2009008171.tif 000033
【図８Ｂ】
2009008171.tif 000034
【図９】
2009008171.tif 000035
【図１０Ａ】
2009008171.tif 000036
【図１０Ｂ】
2009008171.tif 000037
【図１０Ｃ】
2009008171.tif 000038
【図１１Ａ】
2009008171.tif 000039
【図１１Ｂ】
2009008171.tif 000040
【図１２】
2009008171.tif 000041
【図１３Ａ】
2009008171.tif 000042
【図１３Ｂ】
2009008171.tif 000043
【図１３Ｃ】
2009008171.tif 000044
【国際調査報告】
2009008171.tif 000045
2009008171.tif 000046
2009008171.tif 000047
2009008171.tif 000048